(57)【要約】【課題】移動局装置が適切な上りリンク送信を実現する。【解決手段】  基地局装置は、移動局装置に第二セルに対しての第一のアクティベート指示メッセージまたは第二のアクティベート指示メッセージを送信し、移動局装置は、第一のアクティベート指示メッセージを受信した場合、第一のアクティベート指示メッセージで指示された第二セルに対して下りリンク受信及び上りリンク送信を開始し、第二のアクティベート指示メッセージを受信した場合、第二のアクティベート指示メッセージで指示された第二セルに対して下りリンク受信のみを開始する。【選択図】図１
2013042257.tif 000002
【特許請求の範囲】
【請求項１】
基地局装置が移動局装置に複数セルを割り当て、上りリンクの送信タイミング管理のための１つの送信タイミングタイマーが動作中の場合に前記移動局装置が前記基地局装置に前記複数セルを介して上りリンク送信を行なう無線通信システムであって、
前記複数セルは、１つの第一セルと１つ以上の第二セルから構成され、
前記基地局装置は、前記移動局装置に前記第二セルに対しての第一のアクティベート指示メッセージまたは第二のアクティベート指示メッセージを送信し、
前記移動局装置は、前記第一のアクティベート指示メッセージを受信した場合、前記第一のアクティベート指示メッセージで指示された前記第二セルに対して下りリンク受信及び上りリンク送信を開始し、前記第二のアクティベート指示メッセージを受信した場合、前記第二のアクティベート指示メッセージで指示された前記第二セルに対して下りリンク受信のみを開始することを特徴とする無線通信システム。
【請求項２】
請求項１記載の無線通信システムであって、
前記送信タイミングタイマーが満了した場合、前記移動局装置は、下りリンク受信及び上りリンク送信を開始している前記第二セルの上りリンク送信を停止することを特徴とする無線通信システム。
【請求項３】
基地局装置が移動局装置に複数セルを割り当て、上りリンクの送信タイミング管理のための１つの送信タイミングタイマーが動作中の場合のみ前記移動局装置が前記基地局装置に前記複数セルを介して上りリンク送信を行なう無線通信システムであって、
前記複数セルは、常にアクティベートセルの１つの第一セルとアクティベートセルまたはデアクティベートセルの１つ以上の第二セルから構成され、
前記第一セルと前記第二セルは、前記第一セルと同じ上りリンク送信タイミングの前記第二セルから構成される第一の送信タイミンググループと、前記第一セルの上りリンク送信タイミングと異なる同じ上りリンク送信タイミングの前記第二セルから構成される第二の送信タイミンググループとにグループ化され、
前記基地局装置は、前記移動局装置に少なくとも１つの前記第二セルに対してアクティベート指示メッセージを送信し、
前記移動局装置は、前記アクティベート指示メッセージを受信し、前記アクティベート指示メッセージでアクティベートを指示された前記第二セルが属する前記第二の送信タイミンググループの送信タイミング情報を取得していない場合、前記第二の送信タイミンググループに対して上りリンク送信禁止タイマーをスタートすることを特徴とする無線通信システム。
【請求項４】
請求項３記載の無線通信システムであって、
前記移動局装置は、前記第二の送信タイミンググループに対する送信タイミング情報の取得時に前記上りリンク送信禁止タイマーを停止することを特徴とする無線通信システム。
【請求項５】
請求項４記載の無線通信システムであって、
前記上りリンク送信禁止タイマー動作中は、ランダムアクセスプリアンブル以外の上りリンク送信を前記第二の送信タイミンググループのセルに対して禁止することを特徴とする無線通信システム。
【請求項６】
請求項５記載の無線通信システムであって、
前記送信タイミングタイマーが満了し、前記上りリンク送信禁止タイマーが動作している場合、前記上りリンク送信禁止タイマーを停止することを特徴とする無線通信システム。
【請求項７】
基地局装置が移動局装置に複数セルを割り当て、上りリンクの送信タイミング管理のための１つの送信タイミングタイマーが動作中の場合のみ前記移動局装置が前記基地局装置に前記複数セルを介して上りリンク送信を行なう無線通信システムであって、
前記複数セルは、常にアクティベートセルの１つの第一セルとアクティベートセルまたはデアクティベートセルの１つ以上の第二セルから構成され、
前記第一セルと前記第一セルと同じ上りリンク送信タイミングの前記第二セルから構成される第一の送信タイミンググループと、前記第一セルの送信タイミングと異なり、送信タイミングが同じ前記第二セルから構成される第二の送信タイミンググループにグループ化され、
前記移動局装置は、前記基地局装置から前記第二の送信タイミンググループのセルに対するアクティベート指示メッセージを受信した場合、前記アクティベート指示メッセージで指定された前記第二セルの下りリンク受信を開始し、第二の送信タイミンググループの送信タイミングを計算で算出し、前記第二の送信タイミンググループのセルに対して送信タイミングを設定後、前記第二セルの上りリンク送信を開始することを特徴とする無線通信システム。
【請求項８】
請求項７記載の無線通信システムであって、
前記移動局装置は、前記基地局装置から前記第一セルの送信タイミング情報を取得後、前記第一セルの送信タイミングと受信タイミングから前記第二の送信タイミンググループの送信タイミングを算出し、前記第一の送信タイミンググループのセル及び前記第二の送信タイミンググループのセルに対して送信タイミングを設定後、前記送信タイミングタイマーをリスタートすることを特徴とする無線通信システム。
【請求項９】
移動局装置に複数セルを割り当て、上りリンクの送信タイミング管理のための１つの送信タイミングタイマーが動作中の場合に前記移動局装置からの送信されるデータを前記複数セルを介して受信する基地局装置であって、
前記複数セルは、１つの第一セルと１つ以上の第二セルから構成され、
前記第二セルに対する下りリンク受信及び上りリンク送信の開始を示した第一のアクティベート指示メッセージ、または、下りリンク受信のみを開始を示した第二のアクティベート指示メッセージを前記移動局装置に送信することを特徴とする基地局装置。
【請求項１０】
基地局装置から複数セルを割り当てられ、上りリンクの送信タイミング管理のための１つの送信タイミングタイマーが動作中の場合に前記基地局装置に前記複数セルを介して上りリンク送信を行なう移動局装置であって、
前記複数セルは、１つの第一セルと１つ以上の第二セルから構成され、
前記基地局装置から前記第二セルに対して第一のアクティベート指示メッセージまたは第二のアクティベート指示メッセージを受信し、前記第一のアクティベート指示メッセージを受信した場合、前記第一のアクティベート指示メッセージで指示された前記第二セルに対して下りリンク受信及び上りリンク送信を開始し、前記第二のアクティベート指示メッセージを受信した場合、前記第二のアクティベート指示メッセージで指示された前記第二セルに対して下りリンク受信のみを開始することを特徴とする移動局装置。
【請求項１１】
基地局装置から複数セルを割り当てられ、上りリンクの送信タイミング管理のための１つの送信タイミングタイマーが動作中の場合のみ前記基地局装置に前記複数セルを介して上りリンク送信を行なう移動局装置であって、
常にアクティベートセルの１つの第一セルとアクティベートセルまたはデアクティベートセルの１つ以上の第二セルから構成る前記複数セルを、
前記第一セルと同じ上りリンク送信タイミングの前記第二セルから構成される第一の送信タイミンググループと、前記第一セルの上りリンク送信タイミングと異なる同じ上りリンク送信タイミングの前記第二セルから構成される第二の送信タイミンググループとにグループ化し、
前記基地局装置からアクティベート指示メッセージを受信し、前記アクティベート指示メッセージでアクティベートを指示された前記第二セルが属する前記第二の送信タイミンググループに対しての送信タイミング情報を取得していない場合、前記第二の送信タイミンググループに対して上りリンク送信禁止タイマーをスタートすることを特徴とする移動局装置。
【請求項１２】
基地局装置から複数セルを割り当てられ、上りリンクの送信タイミング管理のための１つの送信タイミングタイマーが動作中の場合のみ前記基地局装置に前記複数セルを介して上りリンク送信を行なう移動局装置であって、
常にアクティベートセルの１つの第一セルとアクティベートセルまたはデアクティベートセルの１つ以上の第二セルから構成される前記複数セルを、
前記第一セルと前記第一セルと同じ上りリンク送信タイミングの前記第二セルから構成される第一の送信タイミンググループと、前記第一セルの送信タイミングと異なり、送信タイミングが同じ前記第二セルから構成される第二の送信タイミンググループにグループ化し、
前記基地局装置から前記第二の送信タイミンググループのセルに対するアクティベート指示メッセージを受信した場合、前記アクティベート指示メッセージで指定された前記第二セルの下りリンク受信を開始し、下りリンク受信タイミングに基づいて第二の送信タイミンググループの送信タイミングを算出し、前記第二の送信タイミンググループのセルに対して送信タイミングを設定後、前記第二セルの上りリンク送信を開始することを特徴とする移動局装置。
【請求項１３】
基地局装置が移動局装置に複数セルを割り当て、上りリンクの送信タイミング管理のための１つの送信タイミングタイマーが動作中の場合に前記移動局装置が前記基地局装置に前記複数セルを介して上りリンク送信を行なう無線通信システムに適用される無線通信方法であって、
前記複数セルは、１つの第一セルと１つ以上の第二セルから構成され、
前記基地局装置は、前記移動局装置に前記第二セルに対して第一のアクティベート指示メッセージまたは第二のアクティベート指示メッセージを送信するステップと、
前記移動局装置は、前記第一のアクティベート指示メッセージを受信した場合、前記第一のアクティベート指示メッセージで指示された前記第二セルに対して下りリンク受信及び上りリンク送信を開始するステップと、前記第二のアクティベート指示メッセージを受信した場合、前記第二のアクティベート指示メッセージで指示された前記第二セルに対して下りリンク受信のみを開始するステップを少なくとも含むことを特徴とする無線通信方法。
【請求項１４】
基地局装置が移動局装置に複数セルを割り当て、上りリンクの送信タイミング管理のための１つの送信タイミングタイマーが動作中の場合のみ前記移動局装置が前記基地局装置に前記複数セルを介して上りリンク送信を行なう無線通信システムに適用される無線通信方法であって、
前記複数セルは、常にアクティベートセルの１つの第一セルとアクティベートセルまたはデアクティベートセルの１つ以上の第二セルから構成され、
前記第一セルと前記第二セルは、前記第一セルと同じ上りリンク送信タイミングの前記第二セルから構成される第一の送信タイミンググループと、前記第一セルの上りリンク送信タイミングと異なる同じ上りリンク送信タイミングの前記第二セルから構成される第二の送信タイミンググループとにグループ化され、
前記基地局装置は、前記移動局装置に少なくとも１つの前記第二セルに対してアクティベート指示メッセージを送信するステップと、
前記移動局装置は、前記アクティベート指示メッセージを受信するステップと、前記アクティベート指示メッセージでアクティベートを指示された前記第二セルが属する送信タイミンググループに対しての送信タイミング情報を取得していない場合、前記送信タイミンググループに対して上りリンク送信禁止タイマーをスタートするステップを少なくとも含むことを特徴とする無線通信方法。
【請求項１５】
基地局装置が移動局装置に複数セルを割り当て、上りリンクの送信タイミング管理のための１つの送信タイミングタイマーが動作中の場合のみ前記移動局装置が前記基地局装置に前記複数セルを介して上りリンク送信を行なう無線通信システムに適用される無線通信方法であって、
前記複数セルは、常にアクティベートセルの１つの第一セルとアクティベートセルまたはデアクティベートセルの１つ以上の第二セルから構成され、
前記第一セルと前記第一セルと同じ上りリンク送信タイミングの前記第二セルから構成される第一の送信タイミンググループと、前記第一セルの送信タイミングと異なり、送信タイミングが同じ前記第二セルから構成される第二の送信タイミンググループにグループ化され、
前記移動局装置は、前記基地局装置から前記第二の送信タイミンググループのセルに対するアクティベート指示メッセージを受信するステップと、前記アクティベート指示メッセージで指定された前記第二セルの下りリンク受信を開始するステップと、前記第一セルの送信タイミングと下りリンク受信タイミングから第二の送信タイミンググループの送信タイミングを算出するステップと、前記第二の送信タイミンググループのセルに対して送信タイミングを設定後、前記第二セルの上りリンク送信を開始するステップを少なくとも含むことを特徴とする無線通信方法。
【請求項１６】
基地局装置から複数セルを割り当てられ、上りリンクの送信タイミング管理のための１つの送信タイミングタイマーが動作中の場合に前記基地局装置に前記複数セルを介して上りリンク送信を行なう移動局装置に適用される集積回路であって、
前記複数セルは、１つの第一セルと１つ以上の第二セルから構成され、
前記基地局装置から第一のアクティベート指示メッセージまたは第二のアクティベート指示メッセージを受信する手段と、前記第一のアクティベート指示メッセージを受信した場合、前記第一のアクティベート指示メッセージで指示された前記第二セルに対して下りリンク受信及び上りリンク送信を開始する手段と、前記第二のアクティベート指示メッセージを受信した場合、前記第二のアクティベート指示メッセージで指示された前記第二セルに対して下りリンク受信のみを開始する手段を有することを特徴とする集積回路。
【請求項１７】
基地局装置から複数セルを割り当てられ、上りリンクの送信タイミング管理のための１つの送信タイミングタイマーが動作中の場合のみ前記基地局装置に前記複数セルを介して上りリンク送信を行なう移動局装置に適用される集積回路であって、
前記複数セルは、常にアクティベートセルの１つの第一セルとアクティベートセルまたはデアクティベートセルの１つ以上の第二セルから構成され、
前記第一セルと前記第二セルは、前記第一セルと同じ上りリンク送信タイミングの前記第二セルから構成される第一の送信タイミンググループと、前記第一セルの上りリンク送信タイミングと異なる同じ上りリンク送信タイミングの前記第二セルから構成される第二の送信タイミンググループとにグループ化され、
前記基地局装置からアクティベート指示メッセージを受信する手段と、前記アクティベート指示メッセージでアクティベートを指示された前記第二セルが属する前記第二の送信タイミンググループに対しての送信タイミング情報を取得していない場合、前記第二の送信タイミンググループに対して上りリンク送信禁止タイマーをスタートする手段を有することを特徴とする集積回路。
【請求項１８】
基地局装置から複数セルを割り当てられ、上りリンクの送信タイミング管理のための１つの送信タイミングタイマーが動作中の場合のみ前記基地局装置に前記複数セルを介して上りリンク送信を行なう移動局装置に適用される集積回路であって、
前記複数セルは、常にアクティベートセルの１つの第一セルとアクティベートセルまたはデアクティベートセルの１つ以上の第二セルから構成され、
前記第一セルと前記第一セルと同じ上りリンク送信タイミングの前記第二セルから構成される第一の送信タイミンググループと、前記第一セルの送信タイミングと異なり、送信タイミングが同じ前記第二セルから構成される第二の送信タイミンググループにグループ化され、
前記基地局装置から前記第二の送信タイミンググループのセルに対するアクティベート指示メッセージを受信する手段と、前記アクティベート指示メッセージで指定された前記第二セルの下りリンク受信を開始する手段と、下りリンク受信タイミングに基づいて前記第二の送信タイミンググループの送信タイミングを算出する手段と、前記第二の送信タイミンググループのセルに対して送信タイミングを設定後、前記第二セルの上りリンク送信を開始する手段を有することを特徴とする集積回路。
【発明の詳細な説明】
【技術分野】
【０００１】
本発明は、基地局装置、移動局装置および無線通信システムに関連し、より詳細には、上りリンク送信時の動作における無線通信システム、基地局装置、移動局装置、無線通信方法及び集積回路に関する。
【背景技術】
【０００２】
３ＧＰＰ（3rd Generation Partnership Project）では、Ｗ−ＣＤＭＡ方式が第三世代セルラー移動通信方式として標準化され、順次サービスが開始されている。また、通信速度を更に上げたＨＳＤＰＡも標準化され、サービスが開始されている。
【０００３】
一方、３ＧＰＰでは、第三世代無線アクセスの進化（Evolved Universal Terrestrial Radio Access；以下、「EUTRA」と呼称する。）の標準化も標準化され、サービスが開始されている。ＥＵＴＲＡの下りリンクの通信方式として、マルチパス干渉に強く、高速伝送に適したＯＦＤＭ（Orthogonal Frequency Division Multiplexing）方式を採用している。また、上りリンクの通信方式として、移動局装置のコストと消費電力を考慮し、送信信号のピーク対平均電力比ＰＡＰＲ（Peak to Average Power Ratio）を低減できるシングルキャリア周波数分割多重方式ＳＣ−ＦＤＭＡ（Single Carrier-Frequency Division Multiple Access）のＤＦＴ（Discrete Fourier Transform（離散フーリエ変換））−ｓｐｒｅａｄ  ＯＦＤＭ方式を採用している。
【０００４】
また、３ＧＰＰでは、ＥＵＴＲＡの更なる進化のＡｄｖａｎｃｅｄ−ＥＵＴＲＡの標準化作業も行なわれている。Ａｄｖａｎｃｅｄ−ＥＵＴＲＡでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことを想定している。
【０００５】
Ａｄｖａｎｃｅｄ−ＥＵＴＲＡでは、ＥＵＴＲＡの移動局装置も収容できるようにＥＵＴＲＡの２０ＭＨｚ以下の帯域を複数個束ねることで、最大で１００ＭＨｚ帯域を実現することを考えている。尚、Ａｄｖａｎｃｅｄ−ＥＵＴＲＡでは、ＥＵＴＲＡの１つの２０ＭＨｚ以下の帯域をコンポーネントキャリア（Component Carrier : CC）と呼んでいる（非特許文献２）。また、１つの下りリンクのコンポーネントキャリアと１つの上りリンクのコンポーネントキャリアを組み合わせて１つのセルを構成する。尚、１つの下りリンクコンポーネントキャリアのみでも１つのセルを構成できる。基地局装置は、移動局装置に複数セルを割り当てて、割り当てたセルを介して移動局装置と通信を行なう。
【先行技術文献】
【非特許文献】
【０００６】
【非特許文献１】3GPP TS(Technical Specification)36.300、V10.3.0(2011-03)、Evolved Universal Terrestrial Radio Access(E-UTRA) and Evolved Universal Terrestrial Radio Access Network(E-UTRAN)、Overall description Stage2
【非特許文献２】3GPP TR(Technical Specification)36.814、V9.0.0(2010-03)、Evolved Universal Terrestrial Radio Access(E-UTRA) Further advancements for E-UTRA physical layer aspects
【発明の概要】
【発明が解決しようとする課題】
【０００７】
移動局装置が、周波数の異なる複数のセルを使用して基地局装置と通信を行なう場合、ある周波数のセルではリピータ（Ｒｅｐｅａｔｅｒ）などを介して基地局装置へ接続する場合がある。このような場合、移動局装置での下りリンクコンポーネントキャリアからのデータの受信タイミングは、セル毎に異なり、更に各セルの上りリンクコンポーネントキャリア毎に基地局装置への送信タイミングが異なることとなる。その為、移動局装置は、各セルの上りリンクコンポーネントキャリア毎に送信タイミング調整を行なって、基地局装置への上りリンクの送信を行なう必要がある。
【０００８】
さらに、移動局装置は、送信タイミングの管理を行ない易いように、送信タイミングが同じとなるセルをグループ化（以降は、送信タイミンググループと示す。）するようにし、１つの送信タイミングタイマーで各送信タイミンググループの送信タイミングを有効／無効を判断するようにしている。
【０００９】
しかしながら、移動局装置が、送信タイミングタイマーが１つのみを使用して各送信タイミンググループの送信タイミングを有効／無効を判断するようにすると、ある送信タイミンググループのセルにおいて、既に送信タイミングを取得し、送信タイミングタイマーが動作している場合、送信タイミング情報を取得していない異なる送信タイミンググループのセルをアクティベートした場合、送信タイミング情報を取得していないにも関わらず、送信タイミングタイマーが動作しているので上りリンク参照信号などの上りリンク送信を開始してしまう。送信タイミングが適していない状態で上りリンクの送信を行なうと他の移動局装置の上りリンク送信に対して干渉となり悪影響を与える。
【００１０】
本発明は、このような事情に鑑みてなされたものであり、移動局装置からの送信タイミングが異なる上りリンクコンポーネントキャリアにおける上りリンク送信について、適切な上りリンク送信を実現するための無線通信システム、基地局装置、移動局装置、無線通信方法及び集積回路を提供することを目的とする。
【課題を解決するための手段】
【００１１】
（１）上記の目的を達成するために、本発明は、以下のような手段を講じた。すなわち、本発明の無線通信システムは、基地局装置が移動局装置に複数セルを割り当て、上りリンクの送信タイミング管理のための１つの送信タイミングタイマーが動作中の場合に前記移動局装置が前記基地局装置に前記複数セルを介して上りリンク送信を行なう無線通信システムであって、前記複数セルは、１つの第一セルと１つ以上の第二セルから構成され、前記基地局装置は、前記移動局装置に前記第二セルに対しての第一のアクティベート指示メッセージまたは第二のアクティベート指示メッセージを送信し、前記移動局装置は、前記第一のアクティベート指示メッセージを受信した場合、前記第一のアクティベート指示メッセージで指示された前記第二セルに対して下りリンク受信及び上りリンク送信を開始し、前記第二のアクティベート指示メッセージを受信した場合、前記第二のアクティベート指示メッセージで指示された前記第二セルに対して下りリンク受信のみを開始することを特徴としている。
【００１２】
（２）また、本発明の無線通信システムは、前記送信タイミングタイマーが満了した場合、前記移動局装置は、下りリンク受信及び上りリンク送信を開始している前記第二セルの上りリンク送信を停止することを特徴としている。
【００１３】
（３）また、本発明の無線通信システムは、基地局装置が移動局装置に複数セルを割り当て、上りリンクの送信タイミング管理のための１つの送信タイミングタイマーが動作中の場合のみ前記移動局装置が前記基地局装置に前記複数セルを介して上りリンク送信を行なう無線通信システムであって、前記複数セルは、常にアクティベートセルの１つの第一セルとアクティベートセルまたはデアクティベートセルの１つ以上の第二セルから構成され、前記第一セルと前記第二セルは、前記第一セルと同じ上りリンク送信タイミングの前記第二セルから構成される第一の送信タイミンググループと、前記第一セルの上りリンク送信タイミングと異なる同じ上りリンク送信タイミングの前記第二セルから構成される第二の送信タイミンググループとにグループ化され、前記基地局装置は、前記移動局装置に少なくとも１つの前記第二セルに対してアクティベート指示メッセージを送信し、前記移動局装置は、前記アクティベート指示メッセージを受信し、前記アクティベート指示メッセージでアクティベートを指示された前記第二セルが属する前記第二の送信タイミンググループの送信タイミング情報を取得していない場合、前記第二の送信タイミンググループに対して上りリンク送信禁止タイマーをスタートすることを特徴としている。
【００１４】
（４）また、本発明の無線通信システムは、前記移動局装置は、前記第二の送信タイミンググループに対する送信タイミング情報の取得時に前記上りリンク送信禁止タイマーを停止することを特徴としている。
【００１５】
（５）また、本発明の無線通信システムは、前記上りリンク送信禁止タイマー動作中は、ランダムアクセスプリアンブル以外の上りリンク送信を前記第二の送信タイミンググループのセルに対して禁止することを特徴としている。
【００１６】
（６）また、本発明の無線通信システムは、前記送信タイミングタイマーが満了し、前記上りリンク送信禁止タイマーが動作している場合、前記上りリンク送信禁止タイマーを停止することを特徴としている。
【００１７】
（７）また、本発明の無線通信システムは、基地局装置が移動局装置に複数セルを割り当て、上りリンクの送信タイミング管理のための１つの送信タイミングタイマーが動作中の場合のみ前記移動局装置が前記基地局装置に前記複数セルを介して上りリンク送信を行なう無線通信システムであって、前記複数セルは、常にアクティベートセルの１つの第一セルとアクティベートセルまたはデアクティベートセルの１つ以上の第二セルから構成され、前記第一セルと前記第一セルと同じ上りリンク送信タイミングの前記第二セルから構成される第一の送信タイミンググループと、前記第一セルの送信タイミングと異なり、送信タイミングが同じ前記第二セルから構成される第二の送信タイミンググループにグループ化され、前記移動局装置は、前記基地局装置から前記第二の送信タイミンググループのセルに対するアクティベート指示メッセージを受信した場合、前記アクティベート指示メッセージで指定された前記第二セルの下りリンク受信を開始し、第二の送信タイミンググループの送信タイミングを計算で算出し、前記第二の送信タイミンググループのセルに対して送信タイミングを設定後、前記第二セルの上りリンク送信を開始することを特徴としている。
【００１８】
（８）また、本発明の無線通信システムは前記移動局装置は、前記基地局装置から前記第一セルの送信タイミング情報を取得後、前記第一セルの送信タイミングと受信タイミングから前記第二の送信タイミンググループの送信タイミングを算出し、前記第一の送信タイミンググループのセル及び前記第二の送信タイミンググループのセルに対して送信タイミングを設定後、前記送信タイミングタイマーをリスタートすることを特徴としている。
【００１９】
（９）また、本発明の基地局装置は、移動局装置に複数セルを割り当て、上りリンクの送信タイミング管理のための１つの送信タイミングタイマーが動作中の場合に前記移動局装置からの送信されるデータを前記複数セルを介して受信する基地局装置であって、前記複数セルは、１つの第一セルと１つ以上の第二セルから構成され、前記第二セルに対する下りリンク受信及び上りリンク送信の開始を示した第一のアクティベート指示メッセージ、または、下りリンク受信のみを開始を示した第二のアクティベート指示メッセージを前記移動局装置に送信することを特徴としている。
【００２０】
（１０）また、本発明の移動局装置は、基地局装置から複数セルを割り当てられ、上りリンクの送信タイミング管理のための１つの送信タイミングタイマーが動作中の場合に前記基地局装置に前記複数セルを介して上りリンク送信を行なう移動局装置であって、前記複数セルは、１つの第一セルと１つ以上の第二セルから構成され、前記基地局装置から前記第二セルに対して第一のアクティベート指示メッセージまたは第二のアクティベート指示メッセージを受信し、前記第一のアクティベート指示メッセージを受信した場合、前記第一のアクティベート指示メッセージで指示された前記第二セルに対して下りリンク受信及び上りリンク送信を開始し、前記第二のアクティベート指示メッセージを受信した場合、前記第二のアクティベート指示メッセージで指示された前記第二セルに対して下りリンク受信のみを開始することを特徴としている。
【００２１】
（１１）また、本発明の移動局装置は、基地局装置から複数セルを割り当てられ、上りリンクの送信タイミング管理のための１つの送信タイミングタイマーが動作中の場合のみ前記基地局装置に前記複数セルを介して上りリンク送信を行なう移動局装置であって、
常にアクティベートセルの１つの第一セルとアクティベートセルまたはデアクティベートセルの１つ以上の第二セルから構成る前記複数セルを、前記第一セルと同じ上りリンク送信タイミングの前記第二セルから構成される第一の送信タイミンググループと、前記第一セルの上りリンク送信タイミングと異なる同じ上りリンク送信タイミングの前記第二セルから構成される第二の送信タイミンググループとにグループ化し、前記基地局装置からアクティベート指示メッセージを受信し、前記アクティベート指示メッセージでアクティベートを指示された前記第二セルが属する前記第二の送信タイミンググループに対しての送信タイミング情報を取得していない場合、前記第二の送信タイミンググループに対して上りリンク送信禁止タイマーをスタートすることを特徴としている。
【００２２】
（１２）また、本発明の移動局装置は、基地局装置から複数セルを割り当てられ、上りリンクの送信タイミング管理のための１つの送信タイミングタイマーが動作中の場合のみ前記基地局装置に前記複数セルを介して上りリンク送信を行なう移動局装置であって、常にアクティベートセルの１つの第一セルとアクティベートセルまたはデアクティベートセルの１つ以上の第二セルから構成される前記複数セルを、前記第一セルと前記第一セルと同じ上りリンク送信タイミングの前記第二セルから構成される第一の送信タイミンググループと、前記第一セルの送信タイミングと異なり、送信タイミングが同じ前記第二セルから構成される第二の送信タイミンググループにグループ化し、前記基地局装置から前記第二の送信タイミンググループのセルに対するアクティベート指示メッセージを受信した場合、前記アクティベート指示メッセージで指定された前記第二セルの下りリンク受信を開始し、下りリンク受信タイミングに基づいて第二の送信タイミンググループの送信タイミングを算出し、前記第二の送信タイミンググループのセルに対して送信タイミングを設定後、前記第二セルの上りリンク送信を開始することを特徴としている。
【００２３】
（１３）また、本発明の無線通信方法は、基地局装置が移動局装置に複数セルを割り当て、上りリンクの送信タイミング管理のための１つの送信タイミングタイマーが動作中の場合に前記移動局装置が前記基地局装置に前記複数セルを介して上りリンク送信を行なう無線通信システムに適用される無線通信方法であって、前記複数セルは、１つの第一セルと１つ以上の第二セルから構成され、前記基地局装置は、前記移動局装置に前記第二セルに対して第一のアクティベート指示メッセージまたは第二のアクティベート指示メッセージを送信するステップと、前記移動局装置は、前記第一のアクティベート指示メッセージを受信した場合、前記第一のアクティベート指示メッセージで指示された前記第二セルに対して下りリンク受信及び上りリンク送信を開始するステップと、前記第二のアクティベート指示メッセージを受信した場合、前記第二のアクティベート指示メッセージで指示された前記第二セルに対して下りリンク受信のみを開始するステップを少なくとも含むことを特徴としている。
【００２４】
（１４）また、本発明の無線通信方法は、基地局装置が移動局装置に複数セルを割り当て、上りリンクの送信タイミング管理のための１つの送信タイミングタイマーが動作中の場合のみ前記移動局装置が前記基地局装置に前記複数セルを介して上りリンク送信を行なう無線通信システムに適用される無線通信方法であって、前記複数セルは、常にアクティベートセルの１つの第一セルとアクティベートセルまたはデアクティベートセルの１つ以上の第二セルから構成され、前記第一セルと前記第二セルは、前記第一セルと同じ上りリンク送信タイミングの前記第二セルから構成される第一の送信タイミンググループと、前記第一セルの上りリンク送信タイミングと異なる同じ上りリンク送信タイミングの前記第二セルから構成される第二の送信タイミンググループとにグループ化され、前記基地局装置は、前記移動局装置に少なくとも１つの前記第二セルに対してアクティベート指示メッセージを送信するステップと、前記移動局装置は、前記アクティベート指示メッセージを受信するステップと、前記アクティベート指示メッセージでアクティベートを指示された前記第二セルが属する送信タイミンググループに対しての送信タイミング情報を取得していない場合、前記送信タイミンググループに対して上りリンク送信禁止タイマーをスタートするステップを少なくとも含むことを特徴としている。
【００２５】
（１５）また、本発明の無線通信方法は、基地局装置が移動局装置に複数セルを割り当て、上りリンクの送信タイミング管理のための１つの送信タイミングタイマーが動作中の場合のみ前記移動局装置が前記基地局装置に前記複数セルを介して上りリンク送信を行なう無線通信システムに適用される無線通信方法であって、前記複数セルは、常にアクティベートセルの１つの第一セルとアクティベートセルまたはデアクティベートセルの１つ以上の第二セルから構成され、前記第一セルと前記第一セルと同じ上りリンク送信タイミングの前記第二セルから構成される第一の送信タイミンググループと、前記第一セルの送信タイミングと異なり、送信タイミングが同じ前記第二セルから構成される第二の送信タイミンググループにグループ化され、前記移動局装置は、前記基地局装置から前記第二の送信タイミンググループのセルに対するアクティベート指示メッセージを受信するステップと、前記アクティベート指示メッセージで指定された前記第二セルの下りリンク受信を開始するステップと、前記第一セルの送信タイミングと下りリンク受信タイミングから第二の送信タイミンググループの送信タイミングを算出するステップと、前記第二の送信タイミンググループのセルに対して送信タイミングを設定後、前記第二セルの上りリンク送信を開始するステップを少なくとも含むことを特徴としている。
【００２６】
（１６）また、本発明の集積回路は、基地局装置から複数セルを割り当てられ、上りリンクの送信タイミング管理のための１つの送信タイミングタイマーが動作中の場合に前記基地局装置に前記複数セルを介して上りリンク送信を行なう移動局装置に適用される集積回路であって、前記複数セルは、１つの第一セルと１つ以上の第二セルから構成され、前記基地局装置から第一のアクティベート指示メッセージまたは第二のアクティベート指示メッセージを受信する手段と、前記第一のアクティベート指示メッセージを受信した場合、前記第一のアクティベート指示メッセージで指示された前記第二セルに対して下りリンク受信及び上りリンク送信を開始する手段と、前記第二のアクティベート指示メッセージを受信した場合、前記第二のアクティベート指示メッセージで指示された前記第二セルに対して下りリンク受信のみを開始する手段を有することを特徴としている。
【００２７】
（１７）また、本発明の集積回路は、基地局装置から複数セルを割り当てられ、上りリンクの送信タイミング管理のための１つの送信タイミングタイマーが動作中の場合のみ前記基地局装置に前記複数セルを介して上りリンク送信を行なう移動局装置に適用される集積回路であって、前記複数セルは、常にアクティベートセルの１つの第一セルとアクティベートセルまたはデアクティベートセルの１つ以上の第二セルから構成され、前記第一セルと前記第二セルは、前記第一セルと同じ上りリンク送信タイミングの前記第二セルから構成される第一の送信タイミンググループと、前記第一セルの上りリンク送信タイミングと異なる同じ上りリンク送信タイミングの前記第二セルから構成される第二の送信タイミンググループとにグループ化され、前記基地局装置からアクティベート指示メッセージを受信する手段と、前記アクティベート指示メッセージでアクティベートを指示された前記第二セルが属する前記第二の送信タイミンググループに対しての送信タイミング情報を取得していない場合、前記第二の送信タイミンググループに対して上りリンク送信禁止タイマーをスタートする手段を有することを特徴としている。
【００２８】
（１８）また、本発明の集積回路は、基地局装置から複数セルを割り当てられ、上りリンクの送信タイミング管理のための１つの送信タイミングタイマーが動作中の場合のみ前記基地局装置に前記複数セルを介して上りリンク送信を行なう移動局装置に適用される集積回路であって、前記複数セルは、常にアクティベートセルの１つの第一セルとアクティベートセルまたはデアクティベートセルの１つ以上の第二セルから構成され、前記第一セルと前記第一セルと同じ上りリンク送信タイミングの前記第二セルから構成される第一の送信タイミンググループと、前記第一セルの送信タイミングと異なり、送信タイミングが同じ前記第二セルから構成される第二の送信タイミンググループにグループ化され、前記基地局装置から前記第二の送信タイミンググループのセルに対するアクティベート指示メッセージを受信する手段と、前記アクティベート指示メッセージで指定された前記第二セルの下りリンク受信を開始する手段と、下りリンク受信タイミングに基づいて前記第二の送信タイミンググループの送信タイミングを算出する手段と、前記第二の送信タイミンググループのセルに対して送信タイミングを設定後、前記第二セルの上りリンク送信を開始する手段を有することを特徴としている。
【発明の効果】
【００２９】
本発明によれば、異なる上りリンク送信タイミングで上りリンク送信を行なうようなシステムにおいて、送信タイミングを１つの送信タイミングタイマーで管理する場合においても、移動局装置は適切な上りリンク送信動作が可能になる。
【図面の簡単な説明】
【００３０】
【図１】本発明の実施形態に係る移動局装置の構成を示す図である。
【図２】本発明の実施形態に係る基地局装置の構成を示す図である。
【図３】本発明の実施形態に係るセルの構成例を示す図である。
【図４】本発明の実施形態に係るセルの割り当て例を示す図である。
【図５】アクティベート指示メッセージ受信時の移動局装置の動作例を示すフローチャートである。
【図６】アクティベート指示メッセージ送信時の基地局装置の動作例を示すフローチャートである。
【図７】アクティベート指示メッセージ受信時の移動局装置の動作例を示すフローチャートである。
【図８】アクティベート指示メッセージ受信時の移動局装置の動作例を示すフローチャートである。
【図９】送信タイミング情報受信時の移動局装置の動作例を示すフローチャートである。
【図１０】ＥＵＴＲＡにおけるチャネル構成を示す図である。
【図１１】ＥＵＴＲＡにおける上りリンクの構成を示す図である。
【図１２】競合ベースランダムアクセス手順を示す図である。
【図１３】非競合ベースランダムアクセス手順を示す図である。
【図１４】Ａｄｖａｎｃｅｄ−ＥＵＴＲＡにおける下りリンクのコンポーネントキャリアについての説明図である。
【図１５】Ａｄｖａｎｃｅｄ−ＥＵＴＲＡにおける上りリンクのコンポーネントキャリアについての説明図である。
【図１６】基地局装置と移動局装置がリピータを介して通信する例を示す図である。
【発明を実施するための形態】
【００３１】
＜第１の実施形態＞
ＥＵＴＲＡの下りリンクでは、下りリンク参照信号（Downlink Reference Signal）、下りリンク同期チャネルＤＳＣＨ（Downlink Synchronization Channel）、下りリンク共用チャネルＰＤＳＣＨ（Physical Downlink Shared Channel）、下りリンク制御チャネルＰＤＣＣＨ（Physical Downlink Control Channel）、報知チャネルＰＢＣＨ（Physical Broadcast Channel）により構成されている。
【００３２】
ＥＵＴＲＡの上りリンクでは、上りリンク参照信号（Uplink Reference Signal）、ランダムアクセスチャネルＲＡＣＨ（Random Access Channel）、上りリンク共用チャネルＰＵＳＣＨ（Physical Uplink Shared Channel）、上りリンク制御チャネルＰＵＣＣＨ（Physical Uplink Control Channel）により構成されている。また、上りリンク参照信号には、復調用参照信号（Demodulation Reference Signal）と測定用参照信号（Sounding Reference Signal）の2種類の信号がある。
【００３３】
図１０は、ＥＵＴＲＡにおけるチャネル構成を示す図であり、図１１は、ＥＵＴＲＡにおける上りリンクの構成を示す図である。１ブロックは、１２本のサブキャリアと７つのＯＦＤＭシンボルから構成される。そして、２つのブロックを使用して、１リソースブロック（Resource Block：RB）を構成する。上りリンク共用チャネルＰＵＳＣＨと上りリンク制御チャネルＰＵＣＣＨは、１リソースブロック単位で使用される。ランダムアクセスチャネルＲＡＣＨは、６リソースブロック分を使用して構成される。
【００３４】
上りリンク参照信号は、リソースブロック内の特定のＯＦＤＭシンボルに配置される。上りリンクの各チャネルは、図１１のように上りリンク共用チャネルＰＵＳＣＨの領域と上りリンク制御チャネルＰＵＣＣＨの領域とランダムアクセスチャネルＲＡＣＨとが分けられている。上りリンク共用チャネルＰＵＳＣＨと上りリンク制御チャネルＰＵＣＣＨの各領域に関する情報は、基地局装置３から報知される。また、基地局装置３は、各領域の中から移動局装置個別に上りリンク共用チャネルＰＵＳＣＨと上りリンク制御チャネルＰＵＣＣＨの無線リソースを割り当てる。尚、ランダムアクセスチャネルＲＡＣＨは、一定の周期で配置される。
【００３５】
下りリンク共用チャネルＰＤＳＣＨは、基地局装置３から移動局装置１−１へのユーザーデータや制御データの送信に使用される。下りリンク制御チャネルＰＤＣＣＨは、基地局装置３から移動局装置１−１への下りリンク共用チャネルＰＤＳＣＨと上りリンク共用チャネルＰＵＳＣＨの無線リソース割り当て情報などの制御情報通知に使用される。下りリンク参照信号は、下りリンク共用チャネルＰＤＳＣＨと下りリンク制御チャネルＰＤＣＣＨを復調するために使用される。下りリンク同期チャネルＤＳＣＨは、移動局装置１−１が下りリンクの同期を取るために使用される。報知チャネルＰＢＣＨは、基地局装置３のセルのシステム情報に関する情報を通知するために使用される。
【００３６】
上りリンク共用チャネルＰＵＳＣＨは、移動局装置１−１から基地局装置３へのユーザーデータや制御データの送信に使用される。尚、上りリンク共用チャネルＰＵＳＣＨと下りリンク共用チャネルＰＤＳＣＨで送受信されるデータは、ＨＡＲＱ（Hybrid Automatic Repeat reQuest）処理が行われ、再送時に初送データと再送データを合成処理することで再送時のデータの誤り訂正能力を向上させている。上りリンク制御チャネルＰＵＣＣＨは、基地局装置３からの下りリンクのデータに対する応答（ＡＣＫ(Acknowledge)/ＮＡＣＫ(Negative acknowledge)）や下りリンクの無線伝搬路品質情報などの制御情報を通知する為に使用される。
【００３７】
ランダムアクセスチャネルＲＡＣＨは、主に移動局装置１−１から基地局装置３への送信タイミング情報を取得するためのランダムアクセスプリアンブル送信に使用される。ランダムアクセスプリアンブル送信はランダムアクセス手順の中で行なわれる。上りリンク参照信号の復調用参照信号は、基地局装置３が上りリンク共用チャネルＰＵＳＣＨを復調するために使用され、上りリンク共用チャネルＰＵＳＣＨの４番目のシンボル位置と１１番目のシンボル位置に挿入される。上りリンク参照信号の測定用参照信号は、基地局装置３が上りリンクの無線伝搬路品質を測定するために使用され、上りリンク共用チャネルＰＵＳＣＨの１４番目のシンボル位置に挿入される。尚、測定用参照信号を送信するための無線リソースは、基地局装置３から移動局装置個別に割り当てられる。
【００３８】
ランダムアクセス手順には、競合ベースランダムアクセス手順（Contention based Random Access procedure）と非競合ベースランダムアクセス手順（Non-contention based Random Access procedure）の２つのアクセス手順がある（非特許文献１）。
【００３９】
図１２は、競合ベースランダムアクセス手順を示す図である。競合ベースランダムアクセス手順は、移動局装置間で衝突する可能性のあるランダムアクセス手順であり、競合ベースランダムアクセス手順は、基地局装置３と移動局装置１−１が接続（通信）していない状態からの初期アクセス時や基地局装置３と接続中であるが、上りリンク同期が外れている状態で移動局装置１−１に上りリンクデータ送信が発生した場合のスケジューリングリクエストなどに行われる。
【００４０】
図１３は、非競合ベースランダムアクセス手順を示す図である。非競合ベースランダムアクセス手順は、移動局装置間で衝突が発生しないランダムアクセス手順であり、基地局装置３と移動局装置１−１が接続中であるが、上りリンクの同期が外れている場合に迅速に移動局装置１−１と基地局装置３との間の上りリンク同期をとるためにハンドオーバーや移動局装置１−１の送信タイミングが有効でない場合等の特別な場合に基地局装置３がランダムアクセス指示情報を移動局装置１−１に通知することで、移動局装置１−１がランダムアクセス手順を開始する（非特許文献１）。非競合ベースランダムアクセス手順は、ＲＲＣ（Ｒａｄｉｏ  Ｒｅｓｏｕｒｃｅ  Ｃｏｎｔｒｏｌ：Ｌａｙｅｒ３）層のメッセージ及び下りリンク制御チャネルＰＤＣＣＨの制御データにより指示される。
【００４１】
図１２を用いて、競合ベースランダムアクセス手順を簡単に説明する。まず、移動局装置１−１がランダムアクセスプリアンブルを基地局装置３に送信する（メッセージ１：（１）、ステップＳ１）。そして、ランダムアクセスプリアンブルを受信した基地局装置３が、ランダムアクセスプリアンブルに対する応答（ランダムアクセスレスポンス）を移動局装置１−１に送信する（メッセージ２：（２）、ステップＳ２）。移動局装置１−１がランダムアクセスレスポンスに含まれているスケジューリング情報を元に上位レイヤ（Layer2/Layer3）のメッセージを送信する（メッセージ３：（３）、ステップＳ３）。基地局装置３は、（３）の上位レイヤメッセージを受信できた移動局装置１−１に衝突確認メッセージを送信する（メッセージ４：（４）、ステップＳ４）。尚、競合ベースランダムアクセス手順で送信されるランダムアクセスプリアンブルをランダムプリアンブルとも言う。
【００４２】
図１３を用いて、非競合ベースランダムアクセス手順を簡単に説明する。まず、基地局装置３は、プリアンブル番号（または、シーケンス番号）と使用するランダムアクセスチャネル番号を含んだランダムアクセス指示情報を移動局装置１−１に通知する（メッセージ０：（１）’、ステップＳ１１）。移動局装置１−１は、指定されたプリアンブル番号のランダムアクセスプリアンブルを指定されたランダムアクセスチャネルＲＡＣＨに送信する（メッセージ１：（２）’、ステップＳ１２）。そして、ランダムアクセスプリアンブルを受信した基地局装置３が、ランダムアクセスプリアンブルに対する応答（ランダムアクセスレスポンス）を移動局装置１−１に送信する（メッセージ２：（３）’、ステップＳ１３）。ただし、通知されたプリアンブル番号の値が０の場合は、競合ベースランダムアクセス手順を行なう。尚、非競合ベースランダムアクセス手順で送信されるランダムアクセスプリアンブルを専用プリアンブルとも言う。尚、ランダムアクセスプリアンブルは、ＣＡＺＡＣ（Constant Amplitude Zero AutoCorrelation）シーケンスを用いて生成される。
【００４３】
図１２を用いて、移動局装置１−１が基地局装置３への接続手順を説明する。まず、移動局装置１−１は、報知チャネルＰＢＣＨ等から基地局装置３のシステム情報を取得し、システム情報に含まれているランダムアクセス情報から競合ベースランダムアクセス手順を実行し、基地局装置３との接続を行なう。移動局装置１−１は、下りリンクの無線伝搬路品質、送信する上位レイヤメッセージのサイズ及びランダムアクセス情報等からランダムアクセスプリアンブルを選択・生成する。そして、移動局装置１−１は、ランダムアクセス情報からランダムアクセスプリアンブルを送信するランダムアクセスチャネルＲＡＣＨを決定し、ランダムアクセスプリアンブルを送信する（メッセージ１：（１））。
【００４４】
基地局装置３は、移動局装置１−１からのランダムアクセスプリアンブルを検出すると、ランダムアクセスプリアンブルから移動局装置１−１と基地局装置３との間の送信タイミングのずれ量を算出し、Ｌａｙｅｒ２（Ｌ２）／Ｌａｙｅｒ３（Ｌ３）メッセージを送信するためスケジューリング（上りリンク無線リソース位置（上りリンク共用チャネルＰＵＳＣＨの位置）、送信フォーマット（メッセージサイズ）などの指定）を行ない、Ｔｅｍｐｏｒａｒｙ  Ｃ−ＲＮＴＩ（Cell-Radio Network Temporary Identity：移動局装置識別情報）を割り当て、下りリンク制御チャネルＰＤＣＣＨにランダムアクセスチャネルＲＡＣＨのランダムアクセスプリアンブルを送信した移動局装置１−１宛の応答（ランダムアクセスレスポンス）を示すＲＡ−ＲＮＴＩ（Random Access-Radio Network Temporary Identity：ランダムアクセスレスポンス識別情報）を配置し、下りリンク共用チャネルＰＤＳＣＨに送信タイミング情報、スケジューリング情報、Ｔｅｍｐｏｒａｒｙ  Ｃ−ＲＮＴＩおよび受信したランダムアクセスプリアンブルの情報を含んだランダムアクセスレスポンスメッセージを送信する（メッセージ２：（２））。
【００４５】
移動局装置１−１は、下りリンク制御チャネルＰＤＣＣＨにＲＡ−ＲＮＴＩがあることを検出すると、下りリンク共用チャネルＰＤＳＣＨに配置されたランダムアクセスレスポンスメッセージの中身を確認し、送信したランダムアクセスプリアンブルの情報が含まれている場合、ランダムアクセスレスポンスメッセージに含まれる送信タイミング情報から上りリンクの送信タイミングを調整し、スケジューリングされた無線リソースと送信フォーマットでＣ−ＲＮＴＩ（またはTemporary C-RNTI）または、ＩＭＳＩ（International Mobile Subscriber Identity）等の移動局装置１−１を識別する情報を含むＬ２／Ｌ３メッセージを送信する（メッセージ３：（３））。移動局装置１−１は、送信タイミングを調整した場合に、調整した送信タイミングが有効である送信タイミングタイマーをスタートする。
【００４６】
尚、この送信タイミングタイマーが満了すると調整した送信タイミングは無効となる。送信タイミングが有効（送信タイミングタイマーが動作している）の間、移動局装置１−１は、基地局装置３への上りリンクデータ送信が可能であり、送信タイミングが無効（送信タイミングタイマーが停止している）の場合、ランダムアクセスプリアンブルの送信以外の上りリンク送信は行なわない。また、送信タイミングが有効な期間を上りリンク同期状態と言い、送信タイミングが有効でない期間を上りリンク非同期状態とも言う。
【００４７】
基地局装置３は、移動局装置１−１からのＬ２／Ｌ３メッセージを受信すると、受信したＬ２／Ｌ３メッセージに含まれるＣ−ＲＮＴＩ（またはTemporary C-RNTI）またはＩＭＳＩを使用して移動局装置１−１〜１−３間で衝突が起こっているかどうか判断するための衝突確認（コンテンションレゾリューション）メッセージを移動局装置１−１に送信する（メッセージ４：（４））。移動局装置１−１は、衝突確認メッセージを受信すると競合ベースランダムアクセス手順を終了する。
【００４８】
尚、移動局装置１−１は、一定期間内に送信したランダムアクセスプリアンブルに対応するプリアンブル番号を含むランダムアクセスレスポンスメッセージを検出しなかった場合、メッセージ３の送信に失敗した場合、または、一定期間内に衝突確認メッセージに自移動局装置１−１の識別情報を検出しなかった場合、ランダムアクセスプリアンブルの送信（メッセージ１：（１））からやり直す。そして、ランダムアクセスプリアンブルの送信回数がランダムアクセス情報で示されたランダムアクセスプリアンブルの最大送信回数を越えた場合、移動局装置１−１は、ランダムアクセス手順失敗と判断し、基地局装置３との通信を切断する。尚、ランダムアクセス手順成功後は、更に基地局装置３と移動局装置１−１との間で接続の為の制御データのやり取りがされる。この時、基地局装置３は、個別に割り当てる上りリンク参照信号や上りリンク制御チャネルＰＵＣＣＨの割り当て情報を移動局装置１−１に通知する。
【００４９】
ランダムアクセス手順完了以降の上りリンクの送信タイミングの更新は、基地局装置３が移動局装置１−１から送信される上りリンク参照信号（測定用参照信号、または、復調用参照信号）を測定して、送信タイミング情報を算出し、算出した送信タイミング情報含む送信タイミングメッセージを移動局装置１−１に通知することで行なわれる。移動局装置１−１は、基地局装置３から通知された送信タイミング情報から上りリンクの送信タイミングを調整すると送信タイミングタイマーをリスタート（restart）する。尚、基地局装置３も移動局装置１−１と同じ送信タイミングタイマーを保持しており、送信タイミングメッセージを送信した場合に送信タイミングタイマーをスタート、または、リスタートする。このようにすることで、基地局装置３と移動局装置１−１で上りリンク同期状態を管理する。送信タイミングタイマーが満了すると送信タイミングは無効となり、ランダムアクセスプリアンブルの送信以外の上りリンク送信を停止する。
【００５０】
また、３ＧＰＰでは、ＥＵＴＲＡの更なる進化のＡｄｖａｎｃｅｄ−ＥＵＴＲＡの議論も始まっている。Ａｄｖａｎｃｅｄ−ＥＵＴＲＡでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことを想定している。
【００５１】
図１４は、Ａｄｖａｎｃｅｄ−ＥＵＴＲＡにおける下りリンクのコンポーネントキャリアについての説明図である。図１５は、Ａｄｖａｎｃｅｄ−ＥＵＴＲＡにおける上りリンクのコンポーネントキャリアについての説明図である。
【００５２】
Ａｄｖａｎｃｅｄ−ＥＵＴＲＡでは、ＥＵＴＲＡの移動局装置１−１も収容できるようにＥＵＴＲＡの２０ＭＨｚ以下の帯域を複数個束ねることで、最大で１００ＭＨｚ帯域を実現することを考えている。尚、Ａｄｖａｎｃｅｄ−ＥＵＴＲＡでは、ＥＵＴＲＡの１つの２０ＭＨｚ以下の帯域をコンポーネントキャリア（Component Carrier : CC）と呼んでいる（非特許文献２）。また、１つの下りリンクのコンポーネントキャリアと１つの上りリンクのコンポーネントキャリアを組み合わせて１つのセルを構成する。尚、１つの下りリンクコンポーネントキャリアのみでも１つのセルを構成できる。
【００５３】
つまり、基地局装置３は、移動局装置１−１の通信能力や通信条件にあった複数のセルを割り当て、割り当てた複数のセルを介して移動局装置１−１と通信を行なうようにしている。尚、移動局装置１−１に割り当てられた複数のセルは、１つのセルを第一セル（Primary Cell）とそれ以外のセルを第二セル（Secondary Cell）としている。第一セルには、上りリンク制御チャネルＰＵＣＣＨの割り当てや、ランダムアクセスチャネルＲＡＣＨのアクセス許可など第二セルにない特別な機能を設定している。
【００５４】
また、移動局装置１−１の消費電力を少なくするために、割り当て直後の第二セルに対し、移動局装置１−１は、下りリンクの受信処理を行わず（または、下りリンク制御チャネルで指示された無線リソース割り当て情報に従わない）、基地局装置３からアクティベート（Activate）を指示された後、アクティベートを指示された第二セルに対して下りリンクの受信処理を開始する（または、下りリンク制御チャネルで指示された無線リソース割り当て情報に従う）ようにしている。また、移動局装置１−１は、基地局装置３からアクティベートしている第二セルに対してデアクティベート（deactivate）を指示された後、デアクティベートを指示された第二セルに対して下りリンクの受信処理を停止する（または、下りリンク制御チャネルで指示された無線リソース割り当て情報に従わない）ようにしている。尚、基地局装置３からアクティベートを指示され、下りリンクの受信処理を行っている第二セルをアクティベートセルと言い、また、基地局装置３から移動局装置１−１への割り当て直後の第二セル及びデアクティベートを指示され、下りリンクの受信処理を停止している第二セルをデアクティベートセルと言う。また、第一セルは、常にアクティベートセルである。
【００５５】
しかし、移動局装置１−１が、複数のセルを使用して基地局装置３と通信を行なう場合、図１６のようにリピータ（Repeater）などを介して基地局装置３へ接続する場合がある。このような場合、移動局装置１−１での下りリンクコンポーネントキャリアの受信タイミングと、上りリンクコンポーネントキャリア毎の基地局装置３への送信タイミングの両方または一方がセル毎に異なることとなる。特に、上りリンクコンポーネントキャリア毎の基地局装置３への送信タイミングが異なる場合、移動局装置１−１は各セルの上りリンクコンポーネントキャリア毎に送信タイミングの調整を行なって、基地局装置３への上りリンク送信を行なう必要がある。
【００５６】
[構成説明]
図１は、本発明の実施形態に係る移動局装置１−１の構成を示す図である。移動局装置１−１〜１−３は、無線部１０１、送信処理部１０３、変調部１０５、送信ＨＡＲＱ処理部１０７、制御部１０９、上りリンク参照信号生成部１１１、ランダムアクセスプリアンブル生成部１１３、受信処理部１１５、復調部１１７、受信ＨＡＲＱ処理部１１９、移動局管理部１２１から構成される。移動局管理部１２１は、ＵＬスケジュール部１２３、制御データ作成部１２５、制御データ解析部１２７、セル管理部１２９、ＴＡ管理部１３１から構成される。尚、無線部１０１、送信処理部１０３、変調部１０５、送信ＨＡＲＱ処理部１０７、受信処理部１１５、復調部１１７、受信ＨＡＲＱ処理部１１９は、複数セルとの通信をすることを考慮して通信するセル数と同じ数で構成されるとする。
【００５７】
ユーザーデータや制御データは、送信ＨＡＲＱ処理部１０７に入力される。送信ＨＡＲＱ処理部１０７は、制御部１０９の指示により、入力データに符号化を行い、符号化したデータにパンクチャ処理を行う。そして、送信ＨＡＲＱ処理部１０７は、パンクチャしたデータを変調部１０５に出力し、符号化したデータを保存しておく。また、送信ＨＡＲＱ処理部１０７は、制御部１０９より、データの再送を指示された場合、保存されている符号化したデータに前回に行なったパンクチャと異なるパンクチャ処理を行い、パンクチャしたデータを変調部１０５に出力する。また、送信ＨＡＲＱ処理部１０７は、制御部１０９からの指示により、保存してあるデータを消去する。
【００５８】
変調部１０５は、送信ＨＡＲＱ処理部１０７からの入力データに変調を行ない、送信処理部１０３に出力する。送信処理部１０３は、制御部１０９の指示により、変調部１０５や上りリンク参照信号生成部１１１やランダムアクセスプリアンブル生成部１１３からの入力データ（または入力信号）を各セルの上りリンクコンポーネントキャリアの各チャネルにマッピングし、マッピングしたデータを直列／並列変換、ＤＦＴ−ＩＦＦＴ（Inverse Fast Fourier Transform（逆高速フーリエ変換））変換、ＣＰ挿入などのＯＦＤＭ信号処理を行い、ＯＦＤＭ信号を生成する。また、送信処理部１０３は、制御部１０９から渡される送信タイミング情報と送信タイミングを調整する送信タイミンググループ情報から各セルの上りリンクコンポーネントキャリア毎に出力される信号の送信タイミングを調整し、送信タイミングの調整後、ＯＦＤＭ信号を無線部１０１に出力する。
【００５９】
上りリンク参照信号生成部１１１は、制御部１０９の指示により、移動局管理部１２１から取得した上りリンク参照信号生成情報から上りリンク参照信号を生成し、生成した上りリンク参照信号を送信処理部１０３に出力する。ランダムアクセスプリアンブル生成部１１３は、制御部１０９からプリアンブル番号のみが通知された場合、設定されたランダムアクセス情報から通知されたプリアンブル番号のランダムアクセスプリアンブルを生成し、ランダムアクセス情報からランダムアクセスプリアンブルを送信するランダムアクセスチャネルＲＡＣＨの位置を選択して、送信処理部１０３に生成したランダムアクセスプリアンブルと選択したランダムアクセスチャネルＲＡＣＨ位置を出力する。また、ランダムアクセスプリアンブル生成部１１３は、制御部１０９からプリアンブル番号とランダムアクセスチャネルＲＡＣＨ位置が通知された場合、ランダムアクセス情報から通知されたプリアンブル番号のランダムアクセスプリアンブルを生成し、生成したランダムアクセスプリアンブルと通知されたランダムアクセスチャネルＲＡＣＨ位置を送信処理部１０３に出力する。
【００６０】
無線部１０１は、制御部１０９からの指示により送信処理部１０３からの入力信号を無線周波数にアップコンバートし、送信アンテナから送信する。また、無線部１０１は、アンテナより受信した無線信号をダウンコンバートし、受信処理信部１１５に出力する。受信処理部１１５は、無線部１０１からの入力信号をＦＦＴ（Fast Fourier Transform（高速フーリエ変換））処理を行ない、復調部１１７に出力する。復調部１１７は、入力データの復調処理を行い、復調したデータを受信ＨＡＲＱ処理部１１９に出力する。
【００６１】
受信ＨＡＲＱ処理部１１９は、入力データの復号処理を行い、復号処理に成功した場合、制御データを移動局管理部１２１に出力し、ユーサーデータを上位層に出力する。受信ＨＡＲＱ処理部１１９は、入力データの復号処理に失敗した場合、復号処理に失敗したデータを保存しておく。受信ＨＡＲＱ処理部１１９は、再送データを受信した場合、保存してあるデータと再送データを合成し、復号処理を行う。また、受信ＨＡＲＱ処理部１１９は、入力データの復号処理の成否を移動局管理部１２１に通知する。また、受信ＨＡＲＱ処理部１１９は、制御部１０９からの指示により、保存してあるデータを消去する。
【００６２】
制御部１０９は、移動局管理部１２１からの指示に基づいて、無線部１０１、送信処理部１０３、変調部１０５、送信ＨＡＲＱ処理部１０７、上りリンク参照信号生成部１１１、ランダムアクセスプリアンブル生成部１１３、受信処理部１１５、復調部１１７、受信ＨＡＲＱ処理部１１９の制御を行う。また、制御部１０９は、移動局管理部１２１からの指示に基づいて、第二セルに対応する無線部１０１、送信処理部１０３、変調部１０５、送信ＨＡＲＱ処理部１０７、受信処理部１１５、復調部１１７、受信ＨＡＲＱ処理部１１９の動作の開始及び停止を指示する。
【００６３】
移動局管理部１２１は、ＵＬスケジュール部１２３、制御データ作成部１２５、制御データ解析部１２７、セル管理部１２９、ＴＡ管理部１３１から構成される。制御データ作成部１２５は、受信ＨＡＲＱ処理部１１９からの受信データの復号結果からデータのＡＣＫ／ＮＡＣＫメッセージを作成し、また、下りリンクの無線品質を示すメッセージなどの制御データを作成し、作成した制御データを送信ＨＡＲＱ処理部１０７に出力する。制御データ解析部１２７は、受信ＨＡＲＱ処理部１１９から入力された制御データを解析する。
【００６４】
制御データ解析部１２７は、基地局装置３から受信したセルのシステム情報（または、セルの設定情報）やセルの割り当て情報、ランダムアクセス指示情報、ランダムアクセスレスポンスメッセージ、コンテンションレゾリューションメッセージ、上りリンク参照信号の生成情報、アクティベート指示１メッセージ、アクティベート指示２メッセージ、デアクティベート指示メッセージをセル管理部１２９に出力し、送信タイミングメッセージや送信タイミングタイマー情報をＴＡ管理部１３１に出力する。
【００６５】
ＵＬスケジュール部１２３は、基地局装置３からの上りリンクデータのスケジューリング情報や送信した上りリンクデータの応答（ＡＣＫ／ＮＡＣＫ）をもとに制御部１０９を介して送信処理部１０３、変調部１０５、送信ＨＡＲＱ処理部１０７を制御する。また、上位層からの制御情報をもとにセル管理部１２９にランダムアクセス手順を開始するよう指示する。
【００６６】
セル管理部１２９は、基地局装置３から割り当てられたセルを管理し、基地局装置３から受信したセル毎のシステム情報、または、設定情報（物理チャネルの構成や送信電力情報やランダムアクセス情報、上りリンク参照信号の生成情報などの各セルのシステム情報や上りリンク参照信号（測定用参照信号）の無線リソースや上りリンク制御チャネルＰＵＣＣＨの無線リソースなどの移動局装置１−１に個別に割り当てられた無線リソース）を管理する。セル管理部１２９は、制御部１０９を介してランダムアクセス情報をランダムアクセスプリアンブル生成部１１３に通知し、上りリンク参照信号の生成情報を上りリンク参照信号生成部１１１に通知する。
【００６７】
セル管理部１２９は、送信タイミングが同じセルのグループ情報をＴＡ管理部１３１に通知する。セル管理部１２９は、通信の開始時や上りリンクデータのスケジュール要求を行なう場合、競合ベースランダムアクセス手順を開始し、ランダムアクセス情報からランダムプリアンブルを選択し、選択したランダムプリアンブルのプリアンブル番号を制御部１０９を介してランダムアクセスプリアンブル生成部１１３に通知する。また、セル管理部１２９は、ランダムアクセス指示情報を取得した場合、非競合ベースランダムアクセス手順を開始し、ランダムアクセス指示情報に含まれているプリアンブル番号とランダムアクセスチャネル番号を制御部１０９を介してランダムアクセスプリアンブル生成部１１３に通知する。
【００６８】
セル管理部１２９は、ランダムアクセスレスポンスメッセージを取得した場合、ランダムアクセスレスポンスメッセージに含まれる送信タイミング情報をＴＡ管理部１３１に出力し、Ｌ２／Ｌ３メッセージの情報を制御データ作成部１２５に出力し、非競合ベースランダムアクセス手順実行中の場合、非競合ベースランダムアクセス手順を終了する。セル管理部１２９は、コンテンションレゾリューションメッセージを取得した場合、競合ベースランダムアクセス手順を終了する。
【００６９】
セル管理部１２９は、アクティベート指示１メッセージを取得した場合、アクティベート指示１メッセージで示されたセルに対する受信処理部１１５、復調部１１７、受信ＨＡＲＱ処理部１１９、無線部１０１、送信処理部１０３、変調部１０５、送信ＨＡＲＱ処理部１０７、上りリンク参照信号生成部１１１に動作開始を制御部１０９を介して指示する。セル管理部１２９は、アクティベート指示２メッセージを取得した場合、アクティベート指示２メッセージで示されたセルに対する受信処理部１１５、復調部１１７、受信ＨＡＲＱ処理部１１９、無線部１０１に動作開始を制御部１０９を介して指示する。セル管理部１２９は、デアクティベート指示メッセージを取得した場合、デアクティベート指示メッセージで示されたセルに対する受信処理部１１５、復調部１１７、受信ＨＡＲＱ処理部１１９、無線部１０１、送信処理部１０３、変調部１０５、送信ＨＡＲＱ処理部１０７、上りリンク参照信号生成部１１１に動作停止を制御部１０９を介して指示する。
【００７０】
ＴＡ管理部１３１は、セル毎または送信タイミンググループ毎の送信タイミングと送信タイミングタイマーを管理する。また、ＴＡ管理部１３１は、送信タイミングが同じとなるセルのグループ情報も管理する。ＴＡ管理部１３１は、送信タイミングメッセージを取得した場合、送信タイミングメッセージに含まれる送信タイミングを適用する送信タイミンググループ情報と送信タイミング情報とを制御部１０９を介して送信処理部１０３に通知する。ＴＡ管理部１３１は、第一セルの送信タイミング情報を取得した場合、送信タイミングタイマーをスタート、または、リスタートする。
【００７１】
図２は、本発明の実施形態に係る基地局装置３の構成図を示す。基地局装置３は、無線部２０１、送信処理部２０３、変調部２０５、送信ＨＡＲＱ処理部２０７、制御部２０９、下りリンク参照信号生成部２１１、プリアンブル検出部２１３、受信処理部２１５、復調部２１７、受信ＨＡＲＱ処理部２１９、基地局管理部２２１から構成される。基地局管理部２２１は、ＤＬ／ＵＬスケジュール部２２３、制御データ作成部２２５、制御データ解析部２２７、セル管理部２２９、ＴＡ管理部２３１から構成される。
【００７２】
ユーザーデータと制御データは、送信ＨＡＲＱ処理部２０７に入力される。送信ＨＡＲＱ処理部２０７は、制御部２０９の指示により、入力データに符号化を行い、符号化したデータにパンクチャ処理を行う。そして、送信ＨＡＲＱ処理部２０７は、パンクチャしたデータを変調部２０５に出力し、符号化したデータを保存する。送信ＨＡＲＱ処理部２０７は、制御部２０９より、データの再送を指示された場合、保存してある符号化したデータを取得し、前回に行なったパンクチャと異なるパンクチャ処理を行い、パンクチャしたデータを変調部２０５に出力する。送信ＨＡＲＱ処理部２０７は、制御部２０９からの指示により、保存してあるデータを消去する。
【００７３】
変調部２０５は、送信ＨＡＲＱ処理部２０７からの入力データに変調を行ない、送信処理部２０３に出力する。送信処理部２０３は、制御部２０９の指示により、変調部２０５や下りリンク参照信号生成部２１１からの入力データ（または信号）を各セルの下りリンクコンポーネントキャリアの下りリンク制御チャネルＰＤＣＣＨ、下りリンク同期チャネルＤＳＣＨ、報知チャネルＰＢＣＨ、下りリンク共用チャネルＰＤＳＣＨなどの各チャネルにマッピングし、マッピングしたデータを直列／並列変換、ＩＦＦＴ（Inverse Fast Fourier Transform（逆高速フーリエ変換））変換、ＣＰ挿入などのＯＦＤＭ信号処理を行い、ＯＦＤＭ信号を生成する。そして、送信処理部２０３は、生成したＯＦＤＭ信号を無線部２０１に出力する。
【００７４】
無線部２０１は、制御部２０９からの指示により送信処理部２０３からの入力信号を無線周波数にアップコンバートして、送信アンテナから移動局装置１−１〜１−３に送信する。また、無線部２０１は、アンテナより移動局装置１−１からの無線信号を受信し、受信信号をベースバンド信号にダウンコンバートして、受信信号を受信処理部２１５、または、プリアンブル検出部２１３に出力する。受信処理部２１５は、無線部２０１からの入力信号にＦＦＴ（Fast Fourier Transform（高速フーリエ変換））処理を行い、復調部２１７に出力する。また、受信処理部２１５は、上りリンク参照信号（測定用参照信号）から無線伝搬路品質や送信タイミングのずれ量を測定し、測定結果を基地局管理部２２１に渡す。尚、上りリンクの通信方式は、ＤＦＴ−ｓｐｒｅａｄ  ＯＦＤＭ等のようなシングルキャリア方式を想定しているが、ＯＦＤＭ方式のようなマルチキャリア方式でもかまわない。復調部２１７は、入力データの復調処理を行い、復調したデータを受信ＨＡＲＱ処理部２１９に出力する。
【００７５】
受信ＨＡＲＱ処理部２１９は、入力データの復号処理を行い、復号処理に成功した場合、制御データを基地局管理部２２１に出力し、ユーサーデータを上位層に出力する。受信ＨＡＲＱ処理部２１９は、入力データの復号処理に失敗した場合、復号処理に失敗したデータを保存する。受信ＨＡＲＱ処理部２１９は、再送データを受信した場合、保存してあるデータと再送データを合成し、復号処理を行う。また、受信ＨＡＲＱ処理部２１９は、入力データの復号処理の成否を基地局管理部２２１に通知する。また、受信ＨＡＲＱ処理部２１９は、制御部２０９からの指示により、保存してあるデータを消去する。
【００７６】
プリアンブル検出部２１３は、無線部２０１から入力信号に対して、相関処理を行い、ランダムアクセスプリアンブルの検出処理を行う。ランダムアクセスプリアンブルを検出した場合、検出したランダムアクセスプリアンブルから送信タイミングずれ量を算出し、ランダムアクセスプリアンブルを検出したセルと検出したプリアンブルの情報と送信タイミングずれ量を基地局管理部２２１に通知する。制御部２０９は、基地局管理部２２１からの指示に基づいて、無線部２０１、送信処理部２０３、変調部２０５、送信ＨＡＲＱ処理部２０７、下りリンク参照信号生成部２１１、受信処理部２１５、復調部２１７、受信ＨＡＲＱ処理部２１９の制御を行う。
【００７７】
基地局管理部２２１は、下りリンク及び上りリンクのスケジュールを行なうＤＬ／ＵＬスケジュール部２２３、制御データ作成部２２５、制御データ解析部２２７、セル管理部２２９、ＴＡ管理部２３１から構成される。ＤＬ／ＵＬスケジュール部２２３は、移動局装置１−１から通知される下りリンクの無線伝搬路品質情報や上位層からの通知される各ユーザーのデータ情報や制御データ作成部２２５で作成される制御データから下りリンクの各チャネルにユーザーデータおよび制御データをマッピングする為のスケジュールを行ない、スケジュール結果を制御部２０９に出力する。
【００７８】
また、ＤＬ／ＵＬスケジュール部２２３は、受信処理部２１５からの上りリンクの無線伝搬路品質結果と移動局装置１−１からの無線リソース割り当て要求から上りリンクの各チャネルにユーザーデータをマッピングする為のスケジュールを行なう。ＤＬ／ＵＬスケジュール部２２３は、下りリンクまたは上りリンクで送られるデータ量が多くなった場合、セル管理部２２９に第二セルをアクティベートするように指示する。下りリンクまたは上りリンクで送られるデータ量が少なくなった場合、セル管理部２２９にアクティベートしている第二セルをデアクティベートするように指示する。
【００７９】
また、ＤＬ／ＵＬスケジュール部２２３は、プリアンブル検出部２１３からランダムアクセスプリアンブルを検出したことを通知された場合、上りリンク共用チャネルＰＵＳＣＨを割り当てて、割り当てた上りリンク共用チャネルＰＵＳＣＨとプリアンブル番号を制御データ作成部２２５に通知する。ＤＬ／ＵＬスケジュール部２２３は、ＴＡ管理部２３１から送信タイミング情報と送信タイミングを適用する送信タイミンググループ情報を通知された場合、ＴＡ管理部２３１に送信タイミング情報を送信することを報告し、送信タイミング情報と送信タイミングを適用する送信タイミンググループ情報を制御データ作成部２２５に通知する。また、ＤＬ／ＵＬスケジュール部２２３は、上りリンクの同期が外れている移動局装置に対して、下りリンクのユーザーデータが発生した場合、移動局装置にランダムアクセス手順を行なわせるようにセル管理部２２９に指示する。
【００８０】
制御データ作成部２２５は、下りリンク制御チャネルＰＤＣＣＨに配置される制御データや下りリンク共用チャネルＰＤＳＣＨに配置される制御データを作成する。スケジュール情報を含んだ制御メッセージ、上りリンクデータの応答（ＡＣＫ／ＮＡＣＫ）、物理チャネルの構成情報や各チャネルの送信電力情報やランダムアクセス情報などを含むシステム情報メッセージ、利用するセルの設定情報（ランダムアクセス情報を含む）を含んだ初期設定メッセージ、プリアンブル番号や送信タイミング情報やスケジューリング情報を含んだランダムアクセスレスポンスメッセージ、コンテンションレゾリューションメッセージ、プリアンブル番号とランダムアクセスチャネルＲＡＣＨ番号を含んだランダムアクセス指示情報、送信タイミング情報を含んだ送信タイミングメッセージ、アクティベート指示１メッセージ、アクティベート指示２メッセージ、デアクティベート指示メッセージなどの制御データを作成する。制御データ解析部２２９は、移動局装置１−１からの下りリンクデータの応答（ＡＣＫ／ＮＡＣＫ）結果により、制御部２０９を介して、送信ＨＡＲＱ処理部２０７を制御する。
【００８１】
セル管理部２２９は、各セルや各セルのシステム情報（物理チャネルの構成情報や各チャネルの送信電力情報やランダムアクセス情報や送信タイミングのセル関係情報など）を管理する。また、セル管理部２２９は、移動局装置１−１〜１−３に１つ以上のセルを割り当てて、また、上りリンク参照信号（測定用参照信号）の無線リソースや上りリンク制御チャネルＰＵＣＣＨの無線リソースを割り当てる。そして、セル管理部２２９は、割り当てたセルに関する情報を通知するように制御データ作成部２２５にセルの割り当て情報やセルのシステム情報（セルの設定情報）、移動局装置１−１〜１−３に割り当てる無線リソース情報などを出力する。
【００８２】
セル管理部２２９は、ＤＬ／ＵＬスケジュール部２２３からの指示により、アクティベート、または、デアクティベートセルを決定し、制御データ解析部１２７にアクティベートまたはデアクティベートセルの情報を通知する。
【００８３】
セル管理部２２９は、ＤＬ／ＵＬスケジュール部２２３から移動局装置にランダムアクセス手順を実行させる指示を受信した場合、セルのランダムアクセス情報からプリアンブル番号とランダムアクセスチャネルＲＡＣＨ番号を選択し、制御データ作成部２２５に通知する。
【００８４】
ＴＡ管理部２３１は、移動局装置１−１〜１−３のセル毎の送信タイミングと送信タイミングタイマーを管理する。また、ＴＡ管理部２３１は、送信タイミングが同じとなるセル関係情報も管理する。ＴＡ管理部２３１は、プリアンブル検出部２１３や受信処理部２１５から送信タイミングのずれ量を取得した場合、送信タイミング情報と送信タイミングを適用する送信タイミンググループ情報を作成し、ＤＬ／ＵＬスケジュール部２２３に送信タイミング情報と送信タイミングを適用する送信タイミンググループ情報を通知する。ＴＡ管理部２３１は、ＤＬ／ＵＬスケジュール部２２３から第一セルの送信タイミング情報の送信を通知されると送信タイミングタイマーをスタート、または、リスタートする。
【００８５】
＜動作説明＞
図１４、図１５で説明した基地局装置３が移動局装置１−１に複数セルを割り当て、割り当てた複数のセルを介して基地局装置３と移動局装置１−１が通信を行なう無線通信システムを想定している。また、図１６で説明した移動局装置１−１からの送信タイミングが異なる複数のセルを介して通信を行なうような無線通信システムを想定している。
【００８６】
Ａｄｖａｎｃｅｄ−ＥＵＴＲＡでは、基地局装置３は、複数あるセルの中から移動局装置１−１の通信能力や通信条件にあった１つ以上の異なる周波数のセルを周波数毎に割り当てる。そして、移動局装置１−１は、割り当てられたセルを介して基地局装置３とデータの送受信を行なう。移動局装置１−１が、複数のセルを使用して基地局装置３と通信を行なう場合、図１６のようにリピータ（Ｒｅｐｅａｔｅｒ）などを介して基地局装置３へ接続する場合がある。このような場合、移動局装置１−１での下りリンクコンポーネントキャリアからのデータの受信タイミングは、セル毎に異なる場合がある。更に各セルの上りリンクコンポーネントキャリア毎に基地局装置３への送信タイミングも異なる場合がある。上りリンクコンポーネントキャリア毎に基地局装置３への送信タイミングが異なる場合、移動局装置１−１は、各セルの上りリンクコンポーネントキャリア毎に送信タイミングの調整が必要ということになっている。
【００８７】
さらに、送信タイミングの管理を行ない易いように、送信タイミングが同じとなるセルをグループ化（以降は、送信タイミンググループと示す。）するようにしている。そして、１つの送信タイミングタイマーで各送信タイミンググループの送信タイミングを有効／無効を判断するようにしている。
【００８８】
しかしながら、１つのみの送信タイミングタイマーを使用して各送信タイミンググループの送信タイミングの有効／無効を判断するようにすると、ある送信タイミンググループのセルにおいて、既に送信タイミングを取得し、送信タイミングタイマーが動作している場合、送信タイミング情報を取得していない異なる送信タイミンググループのセルをアクティベートした場合、送信タイミング情報を取得していないにも関わらず、送信タイミングタイマーが動作しているので上りリンク参照信号などの上りリンク送信をアクティベートしたセルで開始してしまう。移動局装置１−１が送信タイミングを取得していない状態で上りリンクの送信を行なうと他の移動局装置の上りリンク送信に対して干渉となり悪影響を与える。そのため、送信タイミングタイマーが動作中であっても送信タイミング情報を取得していない送信タイミンググループのセルに対して、上りリンク送信を禁止する必要がある。
【００８９】
尚、上りリンク送信、上りリンク共用チャネルＰＵＳＣＨのユーザーデータ送信、上りリンク制御チャネルＰＵＣＣＨへの制御データ送信、及び上りリンク参照信号（復調用参照信号及び測定用参照信号）の送信、または、送信処理を示し、ランダムアクセスチャネルＲＡＣＨへのランダムアクセスプリアンブル送信は含まない。
【００９０】
基地局装置３は、アクティベート指示を下りリンク受信開始及び上りリンク送信開始を示したアクティベート指示（以降は、アクティベート指示１と示す）と下りリンク受信開始及び上りリンク送信禁止を示したアクティベート指示（以降はアクティベート指示２と示す）の２種類のアクティベート指示に分けて、基地局装置３が移動局装置１−１の各セルの送信タイミングの状態を見て、アクティベート指示１、または、アクティベート指示２のどちらかのアクティベート指示を移動局装置１−１に通知することにより、送信タイミングが有効でないセルに対して移動局装置１−１が送信を行なわないようにする。移動局装置１−１は、アクティベート指示２（下りリンク受信開始及び上りリンク送信禁止を示したアクティベート指示）を受信した場合、送信タイミングが有効・無効に関わらず上りリンクの送信を行なわないようにする。このようにすることで、移動局装置１−１は、送信タイミングタイマーが動作している状態で、送信タイミングが有効でないセルをアクティベートしても上りリンク送信を行なわない。
【００９１】
移動局装置１−１と基地局装置３の動作を説明する。
基地局装置３は、移動局装置１−１からの送信タイミングが同じとなるセルをグループ化（以降は、送信タイミンググループと示す。）する。そして、基地局装置３は、１つのセルを第一セルに設定し、それ以外のセルを第二セルに設定する。
【００９２】
尚、第一セルには、電話やリアルタイム情報を通知するための定期的な無線リソースや下りリンク共用チャネルＰＤＳＣＨに対する応答に使用するための上りリンク制御チャネルＰＵＣＣＨ、下りリンクの無線伝搬路品質情報などの制御情報を通知するための上りリンク制御チャネルＰＵＣＣＨを割り当てるなど重要な機能が設定される。このため、無線伝搬路状態の良いなど通信環境の良いセルが、第一セルとして設定される。
【００９３】
また、送信タイミンググループは、第一セルと、第一セルと同じ上りリンク送信タイミングの第二セルとから構成される第一の送信タイミンググループと、第一セルの上りリンク送信タイミングと異なる同じ上りリンク送信タイミングの第二セルから構成される第二の送信タイミンググループとに分類される。第一の送信タイミンググループは、少なくとも第一セルを含み、第二の送信タイミンググループは、少なくとも１つの第二セルを含む。
【００９４】
例として、基地局装置３は、図３のようにセル１〜セル５から構成されていて、セル１〜セル３はそれぞれ送信タイミングが同じ送信タイミンググループ（送信タイミンググループ１）であり、セル４〜セル５はそれぞれ送信タイミングが同じであって、かつ、送信タイミンググループ１とは異なる別の送信タイミンググループ（送信タイミンググループ２）であるとする。
【００９５】
移動局装置１−１は、セルサーチを行い、基地局装置３の１つのセルを見つける。ここではセル１を見つけるとする。移動局装置１−１は、セル１の報知チャネルＰＢＣＨなどを受信し、セル１のシステム情報（セルの物理チャネル構成や送信電力情報やランダムアクセス情報など）を取得する。そして、移動局装置１−１は、初期アクセスのためにシステム情報に含まれるランダムアクセス情報を使用して、ランダムアクセスプリアンブルの選択・生成を行い、ランダムアクセスプリアンブルを送信するランダムアクセスチャネルＲＡＣＨを選択し、選択したセル１のランダムアクセスチャネルＲＡＣＨへランダムアクセスプリアンブル（メッセージ１）を送信する。
【００９６】
そして、移動局装置１−１は、基地局装置３からセル１に対する送信タイミング情報を含んだランダムアクセスレスポンスメッセージ（メッセージ２）を取得し、ランダムアクセスレスポンスに含まれる送信タイミング情報からセル１に対する上りリンクコンポーネントキャリアの送信タイミングを調整して、送信タイミングタイマーをスタートさせる。移動局装置１−１は、セル１を介してＬ２／Ｌ３メッセージ（メッセージ３）を基地局装置３へ送信する。尚、移動局装置１−１は、このメッセージ３に初期アクセスを示した内容を含めてメッセージ３を送信する。そして、移動局装置１−１は、コンテンションレゾリューション（メッセージ４）を基地局装置３から受信すると競合ベースランダムアクセス手順を終了する。
【００９７】
ランダムアクセス手順が完了後、基地局装置３は、移動局装置１−１に使用させるセルを割り当て、割り当て情報を移動局装置１−１に通知する。尚、ここでは、図４のように基地局装置３は、移動局装置１−１にセル１〜セル５を割り当てて、セル１を第一セル、セル２〜セル５を第二セルに設定し、セル１〜セル３を送信タイミングが同じ送信タイミンググループ（送信タイミンググループ１）に設定し、セル４とセル５を送信タイミングが同じ送信タイミンググループ（送信タイミンググループ２）に設定する。また、送信タイミンググループ２のセル５に対して、ランダムアクセス手順を設定する（許可する）とする。
【００９８】
そして、基地局装置３は、移動局装置１−１に割り当てたセル（セル１からセル５）の設定情報（各セルのシステム情報）や送信タイミンググループのグループ情報、第一セルの上りリンク制御チャネルＰＵＣＣＨの割り当て情報、上りリンク参照信号（測定用参照信号）の生成情報や上りリンク参照信号（測定用参照信号）を送信するための無線リソース割り当て情報、定期的な上りリンク共用チャネルＰＤＳＣＨの無線リソース割り当て情報などの移動局装置個別の設定情報も移動局装置１−１に通知する。また、基地局装置３は、ランダムアクセス手順を許可するセルに対する情報としてランダムアクセス情報もセルの設定情報に含めて通知する。尚、ここでは、基地局装置３は、セル１を第一セルに設定したので、セル１、セル５に対しランダムアクセス情報を通知する。移動局装置１−１は、ランダムアクセス情報を取得したセルに対して、設定されたパラメータに基づいて当該セルでランダムアクセス手順を認識する。
【００９９】
上記情報を通知後、基地局装置３は、移動局装置１−１にセル２及びセル３に対してアクティベート指示１（アクティベート指示１メッセージ）を指示し、セル４及びセル５に対してアクティベート指示２（アクティベート指示２メッセージ）を指示するとする。アクティベート指示１を指示された移動局装置１−１は、セル２とセル３に対して下りリンク受信を開始し、取得しているセル１の送信タイミング情報からセル１と同じ送信タイミンググループのセル２とセル３の上りリンクの送信タイミングを調整し、セル２及びセル３に対して上りリンク送信を開始する。アクティベート指示２を指示された移動局装置１−１は、セル４及びセル５に対して下りリンク受信を開始するが、送信タイミングの調整、及び上りリンク送信は開始しない。
【０１００】
尚、上りリンク送信とは、ランダムアクセスプリアンブル送信以外の上りリンク共用チャネルＰＵＳＣＨの送信、上りリンク制御チャネルＰＵＣＣＨの送信、上りリンク参照信号の送信、または、送信処理を言う。また、基地局装置３が送信するアクティベート指示メッセージは、セル単位で通知しても良いし、割り当てたセルのアクティベート指示メッセージをまとめて通知しても良い。この後、移動局装置１−１と基地局装置３との間でセル１〜セル５の下りリンクコンポーネントキャリアとセル１〜セル３の上りリンクコンポーネントキャリアを介してデータのやり取りがされる。
【０１０１】
移動局装置１−１からの送信データ量が多くなり、移動局装置１−１で利用していないセルがある場合、基地局装置３は、移動局装置１−１に非競合ベースランダムアクセス手順を行うように指示するランダムアクセス指示情報を下りリンク制御チャネルＰＤＣＣＨで通知する。ここでは、基地局装置３は、セル５に対してのランダムアクセス指示情報を移動局装置１−１に通知するとする。ランダムアクセス指示情報には、プリアンブル番号とランダムアクセスチャネル番号が含まれており、移動局装置１−１は、基地局装置３から指定されたプリアンブル番号と保持しているセル５の設定情報に含まれるランダムアクセス情報からランダムアクセスプリアンブルを生成し、ランダムアクセスプリアンブルを送信するランダムアクセスチャネルＲＡＣＨを選択して、ランダムアクセスプリアンブルをセル５のランダムアクセスチャネルＲＡＣＨに送信する。
【０１０２】
基地局装置３は、ランダムアクセスプリアンブルを検出すると、ランダムアクセスプリアンブルから送信タイミングずれ量を算出して、移動局装置１−１にセル５の下りリンクコンポーネントキャリアを介して送信タイミング情報を含んだランダムアクセスレスポンスを通知する。移動局装置１−１は、ランダムアクセスレスポンスを受信するとランダムアクセスレスポンスに含まれている送信タイミング情報をセル５の上りリンクの送信タイミングとして調整し、更に、送信タイミング情報を同じ送信タイミンググループであるセル４の上りリンクの送信タイミングとして調整する。そして、移動局装置１−１は、非競合ベースランダムアクセス手順を終了する。ランダムアクセス手順終了後、基地局装置３は、移動局装置１−１にセル４及びセル５のアクティベート指示１メッセージを通知する。移動局装置１−１は、アクティベート指示１メッセージを受信後、セル４及びセル５に対して上りリンク送信を開始する。この後、セル４とセル５の上りリンクコンポーネントキャリアも含めて、移動局装置１−１と基地局装置３との間でデータのやり取りを行なう。
【０１０３】
尚、移動局装置１−１は、基地局装置３から第一セルに対する送信タイミング情報を取得した場合、送信タイミングタイマーをリスタート（リセット）する。また、送信タイミングタイマーが満了した場合、移動局装置１−１は、全てのセルでの上りリンク送信を停止する。
【０１０４】
上記例では、アクティベート指示１メッセージとアクティベート指示２メッセージを別々に通知するような構成で説明したが、アクティベート指示１メッセージとアクティベート指示２メッセージを合わせて１つのメッセージとして構成するようにしても良い。つまり、１つのメッセージの中で各セルに対しての下りリンク受信開始及び上りリンク送信開始（アクティベート指示１）、または、下りリンク受信開始及び上りリンク送信禁止（アクティベート指示２）、または、下りリンク受信停止及び上りリンク送信停止（デアクティベート指示）を示すような構成にしても良い。
【０１０５】
移動局装置１−１の動作を図５のフローチャートを用いて以下に示す。
移動局装置１−１は、基地局装置３からアクティベート指示メッセージを受信する（ステップＳ１０１）。移動局装置１−１は、変数ｉを１に設定する（ステップＳ１０２）。移動局装置１−１は、セルｉに対するアクティベート指示メッセージがアクティベート指示１またはアクティベート指示２のどちらのアクティベート指示か確認する（ステップＳ１０３）。受信したアクティベート指示がアクティベート指示１の場合、移動局装置は、セルｉに対して、下りリンクの受信、および上りリンクの送信を開始する（ステップＳ１０４）。
【０１０６】
受信したアクティベート指示メッセージがアクティベート指示２の場合、移動局装置１−１は、セルｉに対して、下りリンクの受信のみを開始する（ステップＳ１０５）。この時、移動局装置１−１は、上りリンク送信は行なわない。変数ｉに１を加算する（ステップＳ１０６）。移動局装置１−１は、変数ｉが基地局装置３から割り当てられたセル数以下かどうか確認する（ステップＳ１０７）。変数ｉが基地局装置３から割り当てられたセル数以下の場合、ステップＳ１０２に戻りその他のセルｉに対するアクティベート指示の処理を行う。移動局装置１−１は、変数ｉが基地局装置３から割り当てられたセル数を越えた場合、アクティベート指示受信処理を終了する。
【０１０７】
基地局装置３の動作を図６のフローチャートを用いて以下に示す。
基地局装置３は、移動局装置１−１に送信するデータのデータ量や移動局装置１−１から送信されるデータのデータ量からアクティベートまたはデアクティベートするセルを決定する（ステップＳ２０１）。基地局装置３は、変数ｉに１を設定する（ステップＳ２０２）。基地局装置３は、セルｉがアクティベート／デアクティベートの状態を変更するセルかどうか確認する（ステップＳ２０３）。
【０１０８】
セルｉがアクティベート／デアクティベートの状態を変更するセルの場合、基地局装置３は、セルｉが属する送信タイミンググループの送信タイミングが有効かどうか確認する（ステップＳ２０４）。セルｉが属する送信タイミンググループの送信タイミングが有効である場合、基地局装置３は、アクティベート指示１を設定する（ステップＳ２０５）。セルｉが属する送信タイミンググループの送信タイミングが無効である場合、基地局装置３は、アクティベート指示２を設定する（ステップＳ２０６）。
【０１０９】
セルｉがアクティベート／デアクティベートの状態を変更しないセルの場合、基地局装置３は、セルｉがアクティベートしているかどうか確認する（ステップＳ２０７）。セルｉがアクティベートしている場合、基地局装置３は、現在セルｉに設定されているアクティベート指示を再度設定する（ステップＳ２０８）。セルｉがデアクティベートしている場合、基地局装置３は、デアクティベート指示を設定する（ステップＳ２０９）。基地局装置３は、変数ｉに１を加算する（ステップＳ２１０）。基地局装置３は、変数ｉが移動局装置１−１に割り当てたセル数以下かどうか確認する（ステップＳ２１１）。変数ｉが移動局装置１−１に割り当てたセル数以下の場合、ステップＳ２０３に戻りその他のセルｉに対するアクティベート指示メッセージ送信処理を行う。基地局装置３は、変数ｉが移動局装置１−１に割り当てたセル数を越えた場合、アクティベート指示メッセージを移動局装置１−１に送信し（ステップＳ２１２）、アクティベート指示メッセージ送信処理を終了する。
【０１１０】
このように基地局装置３が、移動局装置１−１に下りリンク受信開始及び上りリンク送信禁止を示すアクティベート指示を通知することで、移動局装置１−１に対して送信タイミングを取得していないセルに対しての上りリンク送信を禁止することができる。
【０１１１】
＜第２の実施形態＞
実施形態１では、基地局装置３が、移動局装置１−１に各送信タイミンググループのセルに対して上りリンク送信の禁止を示す情報を通知することにより、送信タイミングタイマーが動作している場合でも送信タイミングが有効でないセルに対しての送信禁止を行なった。本実施形態では、移動局装置単体で送信タイミングタイマーが動作している場合でも送信タイミングが有効でないセルに対しての上りリンク送信を禁止する例を示す。
【０１１２】
[構成説明]
図１は、本発明の実施形態に係る移動局装置の構成を示す図である。移動局装置１−１〜１−３は、無線部１０１、送信処理部１０３、変調部１０５、送信ＨＡＲＱ処理部１０７、制御部１０９、上りリンク参照信号生成部１１１、ランダムアクセスプリアンブル生成部１１３、受信処理部１１５、復調部１１７、受信ＨＡＲＱ処理部１１９、移動局管理部１２１から構成される。移動局管理部１２１は、ＵＬスケジュール部１２３、制御データ作成部１２５、制御データ解析部１２７、セル管理部１２９、ＴＡ管理部１３１から構成される。
【０１１３】
尚、無線部１０１、送信処理部１０３、変調部１０５、送信ＨＡＲＱ処理部１０７、受信処理部１１５、復調部１１７、受信ＨＡＲＱ処理部１１９は、複数セルとの通信をすることを考慮して通信するセル数と同じ数で構成されるとする。無線部１０１、送信処理部１０３、変調部１０５、送信ＨＡＲＱ処理部１０７、制御部１０９、上りリンク参照信号生成部１１１、ランダムアクセスプリアンブル生成部１１３、受信処理部１１５、復調部１１７、受信ＨＡＲＱ処理部１１９の動作は、第１の実施形態と同じであるので説明は省略する。
【０１１４】
移動局管理部１２１は、ＵＬスケジュール部１２３、制御データ作成部１２５、制御データ解析部１２７、セル管理部１２９、ＴＡ管理部１３１から構成される。制御データ作成部１２５は、受信ＨＡＲＱ処理部１１９からの受信データの復号結果からデータのＡＣＫ／ＮＡＣＫメッセージを作成し、また、下りリンクの無線品質を示すメッセージなどの制御データを作成し、作成した制御データを送信ＨＡＲＱ処理部１０７に出力する。制御データ解析部１２７は、受信ＨＡＲＱ処理部１１９から入力された制御データを解析する。
【０１１５】
制御データ解析部１２７は、基地局装置３から受信したセルのシステム情報（または、セルの設定情報）やセルの割り当て情報、ランダムアクセス指示情報、ランダムアクセスレスポンスメッセージ、コンテンションレゾリューションメッセージ、上りリンク参照信号の生成情報、アクティベート指示メッセージ、デアクティベート指示メッセージをセル管理部１２９に出力し、アクティベート指示メッセージ、デアクティベート指示メッセージ、送信タイミングメッセージ、送信タイミングタイマー情報や上りリンク送信禁止タイマー情報をＴＡ管理部１３１に出力する。
【０１１６】
ＵＬスケジュール部１２３は、基地局装置３からの上りリンクデータのスケジューリング情報や送信した上りリンクデータの応答（ＡＣＫ／ＮＡＣＫ）をもとに制御部１０９を介して送信処理部１０３、変調部１０５、送信ＨＡＲＱ処理部１０７を制御する。また、上位層からの制御情報をもとにセル管理部１２９にランダムアクセス手順を開始するよう指示する。
【０１１７】
セル管理部１２９は、基地局装置３から割り当てられたセルを管理し、基地局装置３から受信したセル毎のシステム情報、または、設定情報（物理チャネルの構成や送信電力情報やランダムアクセス情報、上りリンク参照信号の生成情報などの各セルのシステム情報や上りリンク参照信号（測定用参照信号）の無線リソースや上りリンク制御チャネルＰＵＣＣＨの無線リソースなどの移動局装置１−１に個別に割り当てられた無線リソース）を管理する。セル管理部１２９は、制御部１０９を介してランダムアクセス情報をランダムアクセスプリアンブル生成部１１３に通知し、上りリンク参照信号の生成情報を上りリンク参照信号生成部１１１に通知する。
【０１１８】
セル管理部１２９は、送信タイミングが同じセルのグループ情報をＴＡ管理部１３１に通知する。セル管理部１２９は、通信の開始時や上りリンクデータのスケジュール要求を行なう場合、競合ベースランダムアクセス手順を開始し、ランダムアクセス情報からランダムプリアンブルを選択し、選択したランダムプリアンブルのプリアンブル番号を制御部１０９を介してランダムアクセスプリアンブル生成部１１３に通知する。また、セル管理部１２９は、ランダムアクセス指示情報を取得した場合、非競合ベースランダムアクセス手順を開始し、ランダムアクセス指示情報に含まれているプリアンブル番号とランダムアクセスチャネル番号を制御部１０９を介してランダムアクセスプリアンブル生成部１１３に通知する。
【０１１９】
セル管理部１２９は、ランダムアクセスレスポンスメッセージを取得した場合、ランダムアクセスレスポンスメッセージに含まれる送信タイミング情報をＴＡ管理部１３１に出力し、Ｌ２／Ｌ３メッセージの情報を制御データ作成部１２５に出力し、非競合ベースランダムアクセス手順実行中の場合、非競合ベースランダムアクセス手順を終了する。セル管理部１２９は、コンテンションレゾリューションメッセージを取得した場合、競合ベースランダムアクセス手順を終了する。
【０１２０】
セル管理部１２９は、アクティベート指示メッセージを取得した場合、アクティベート指示１メッセージで示されたセルに対する受信処理部１１５、復調部１１７、受信ＨＡＲＱ処理部１１９、無線部１０１、送信処理部１０３、変調部１０５、送信ＨＡＲＱ処理部１０７、上りリンク参照信号生成部１１１に動作開始を制御部１０９を介して指示する。ただし、セル管理部１２９は、ＴＡ管理部１３１から送信禁止を指示されたセルに対して、送信処理部１０３、変調部１０５、送信ＨＡＲＱ処理部１０７、上りリンク参照信号生成部１１１の動作開始の指示は行わない。セル管理部１２９は、デアクティベート指示メッセージを取得した場合、デアクティベート指示メッセージで示されたセルに対する受信処理部１１５、復調部１１７、受信ＨＡＲＱ処理部１１９、無線部１０１、送信処理部１０３、変調部１０５、送信ＨＡＲＱ処理部１０７、上りリンク参照信号生成部１１１に動作停止を制御部１０９を介して指示する。
【０１２１】
ＴＡ管理部１３１は、セル毎または送信タイミンググループ毎の送信タイミングと送信タイミングタイマーを管理する。また、ＴＡ管理部１３１は、送信タイミングが同じとなるセルのグループ情報も管理する。ＴＡ管理部１３１は、送信タイミングメッセージを取得した場合、送信タイミングメッセージに含まれる送信タイミングを適用する送信タイミンググループ情報と送信タイミング情報とを制御部１０９を介して送信処理部１０３に通知する。ＴＡ管理部１３１は、第一セルの送信タイミングを取得した場合、送信タイミングタイマーをスタート、または、リスタートする。ＴＡ管理部１３１は、上りリンク送信禁止タイマーも管理する。ＴＡ管理部１３１は、アクティベート指示メッセージを取得した場合、送信タイミングを取得していない第二セルに対しての上りリンク送信禁止タイマーをスタートする。また、ＴＡ管理部１３１は、送信タイミングを取得していない第二セルに対しての送信タイミング情報を取得した場合、上りリンク送信禁止タイマーを停止する。
【０１２２】
＜動作説明＞
移動局装置１−１は、第二セルまたは第二セルで構成される送信タイミンググループに対して上りリンク送信を禁止するタイマー（以降は、上りリンク送信禁止タイマーと示す。）を設定する。上りリンク送信禁止タイマー動作中は第二セルまたは第二セルで構成される送信タイミンググループのセルに対する上りリンク送信を禁止するようにする。また、第二セルまたは第二セルで構成される送信タイミンググループのセルに対する送信タイミングを取得した（送信タイミングが有効になった）場合、移動局装置１−１は、上りリンク送信禁止タイマーを停止し、上りリンク送信を行なうようにする。
【０１２３】
移動局装置１−１と基地局装置３の動作を説明する。
基地局装置は、移動局装置からの送信タイミングが同じとなるセルをグループ化（以降は、送信タイミンググループと示す。）する。そして、基地局装置は、１つのセルを第一セルに設定し、それ以外のセルを第二セルに設定する。
【０１２４】
尚、第一セルには、電話やリアルタイム情報を通知するための定期的な無線リソースや下りリンク共用チャネルＰＤＳＣＨに対する応答に使用するための上りリンク制御チャネルＰＵＣＣＨ、下りリンクの無線伝搬路品質情報などの制御情報を通知するための上りリンク制御チャネルＰＵＣＣＨを割り当てるなど重要な機能を設定する。このため、無線伝搬路状態の良いなど通信環境の良いセルが、第一セルとして設定される。
【０１２５】
また、送信タイミンググループは、第一セルと、第一セルと同じ上りリンク送信タイミングの第二セルとから構成される第一の送信タイミンググループと、第一セルの上りリンク送信タイミングと異なる同じ上りリンク送信タイミングの第二セルから構成される第二の送信タイミンググループとに分類される。第一の送信タイミンググループは、少なくとも第一セルを含み、第二の送信タイミンググループは、少なくとも１つの第二セルを含む。
【０１２６】
例として、基地局装置３は、図３のようにセル１〜セル５から構成されていて、セル１〜セル３はそれぞれ送信タイミングが同じ送信タイミンググループ（送信タイミンググループ１）であり、セル４〜セル５はそれぞれ送信タイミングが同じであって、かつ、送信タイミンググループ１とは異なる別の送信タイミンググループ（送信タイミンググループ２）であるとする。
【０１２７】
移動局装置１−１は、セルサーチを行い、基地局装置３の１つのセルを見つける。ここではセル１を見つけるとする。移動局装置１−１は、セル１の報知チャネルＰＢＣＨなどを受信し、セル１のシステム情報（セルの物理チャネル構成や送信電力情報やランダムアクセス情報など）を取得する。そして、移動局装置１−１は、初期アクセスのためにシステム情報に含まれるランダムアクセス情報を使用して、ランダムアクセスプリアンブルの選択・生成を行い、ランダムアクセスプリアンブルを送信するランダムアクセスチャネルＲＡＣＨを選択し、選択したセル１のランダムアクセスチャネルＲＡＣＨへランダムアクセスプリアンブル（メッセージ１）を送信する。
【０１２８】
そして、移動局装置１−１は、基地局装置３からセル１に対する送信タイミング情報を含んだランダムアクセスレスポンスメッセージ（メッセージ２）を取得し、ランダムアクセスレスポンスに含まれる送信タイミング情報からセル１に対する上りリンクコンポーネントキャリアの送信タイミングを調整して、送信タイミングタイマーをスタートさせる。移動局装置１−１は、セル１を介してＬ２／Ｌ３メッセージ（メッセージ３）を基地局装置３へ送信する。尚、移動局装置１−１は、このメッセージ３に初期アクセスを示した内容を含めてメッセージ３を送信する。そして、移動局装置１−１は、コンテンションレゾリューション（メッセージ４）を基地局装置３から受信すると競合ベースランダムアクセス手順を終了する。
【０１２９】
ランダムアクセス手順が完了後、基地局装置３は、移動局装置１−１に使用させるセルを割り当て、割り当て情報を移動局装置１−１に通知する。尚、ここでは、図４のように基地局装置３は、移動局装置１−１にセル１〜セル５を割り当てて、セル１を第一セル、セル２〜セル５を第二セルに設定し、セル１〜セル３を送信タイミングが同じ送信タイミンググループ（送信タイミンググループ１）に設定し、セル４とセル５を送信タイミングが同じ送信タイミンググループ（送信タイミンググループ２）に設定する。また、送信タイミンググループ２のセル５に対して、ランダムアクセス手順を設定する（許可する）とする。
【０１３０】
そして、基地局装置３は、移動局装置１−１に割り当てたセル（セル１からセル５）の設定情報（各セルのシステム情報）や送信タイミンググループのグループ情報、第一セルの上りリンク制御チャネルＰＵＣＣＨの割り当て情報、上りリンク参照信号（測定用参照信号）の生成情報や上りリンク参照信号（測定用参照信号）を送信するための無線リソース割り当て情報、定期的な上りリンク共用チャネルＰＤＳＣＨの無線リソース割り当て情報などの移動局装置個別の設定情報も移動局装置１−１に通知する。また、基地局装置３は、ランダムアクセス手順を許可するセルに対する情報としてランダムアクセス情報や上りリンク送信禁止タイマー情報もセルの設定情報に含めて通知する。尚、ここでは、基地局装置３は、セル１を第一セルに設定したので、セル１、セル５に対しランダムアクセス情報を通知する。移動局装置１−１は、ランダムアクセス情報を取得したセルに対して、設定されたパラメータに基づいて当該セルでランダムアクセス手順を認識する。
【０１３１】
上記情報を通知後、基地局装置３は、移動局装置１−１にセル２〜セル５に対してアクティベート指示を通知するとする。アクティベートを指示されると移動局装置１−１は、各送信タイミンググループの送信タイミングを取得しているかどうか確認する。移動局装置１−１は、送信タイミンググループ１では、セル１の送信タイミングを取得しているので、取得しているセル１の送信タイミング情報からセル１と同じ送信タイミンググループのセル２とセル３の上りリンクの送信タイミングを調整する。移動局装置１−１は、送信タイミンググループ２では、送信タイミングを取得していないので、上りリンク送信禁止タイマーをスタートする。そして、セル２〜セル５に対して下りリンク受信を開始し、セル２及びセル３に対して上りリンク送信を開始する。尚、セル４及びセル５はアクティベートしているが、上りリンク送信禁止タイマーが動作しているので、移動局装置１−１は、上りリンク送信を行わない。
【０１３２】
尚、上りリンク送信とは、ランダムアクセスプリアンブル送信以外の上りリンク共用チャネルＰＵＳＣＨの送信、上りリンク制御チャネルＰＵＣＣＨの送信、上りリンク参照信号の送信を言う。この後、移動局装置１−１と基地局装置３との間でセル１〜セル５の下りリンクコンポーネントキャリアとセル１〜セル３の上りリンクコンポーネントキャリアを介してデータのやり取りがされる。
【０１３３】
移動局装置１−１からの送信データ量が多くなり、セル４及びセル５の上りリンク送信タイミングが有効ではなく、上りリンクコンポーネントキャリアを利用していないので、基地局装置３は、移動局装置１−１に非競合ベースランダムアクセス手順を行うように指示するランダムアクセス指示情報を下りリンク制御チャネルＰＤＣＣＨで通知する。ここでは、基地局装置３は、セル５に対してのランダムアクセス指示情報を移動局装置１−１に通知するとする。ランダムアクセス指示情報には、プリアンブル番号とランダムアクセスチャネル番号が含まれており、移動局装置１−１は、基地局装置３から指定されたプリアンブル番号と保持しているセル５の設定情報に含まれるランダムアクセス情報からランダムアクセスプリアンブルを生成し、ランダムアクセスプリアンブルを送信するランダムアクセスチャネルＲＡＣＨを選択して、ランダムアクセスプリアンブルをセル５のランダムアクセスチャネルＲＡＣＨに送信する。
【０１３４】
基地局装置３は、ランダムアクセスプリアンブルを検出すると、ランダムアクセスプリアンブルから送信タイミングずれ量を算出して、移動局装置１−１にセル５の下りリンクコンポーネントキャリアを介して送信タイミング情報を含んだランダムアクセスレスポンスを通知する。移動局装置１−１は、ランダムアクセスレスポンスを受信するとランダムアクセスレスポンスに含まれている送信タイミング情報をセル５の上りリンクの送信タイミングとして調整し、更に、送信タイミング情報を同じ送信タイミンググループであるセル４の上りリンクの送信タイミングとして調整し、非競合ベースランダムアクセス手順を終了する。そして、移動局装置１−１は、送信タイミンググループ２の上りリンク送信禁止タイマーを停止する。移動局装置１−１は、セル４及びセル５に対して上りリンク送信を開始する。この後、セル４とセル５の上りリンクコンポーネントキャリアも含めて、移動局装置１−１と基地局装置３との間でデータのやり取りを行なう。
【０１３５】
尚、上りリンク送信禁止タイマーの長さは、送信タイミングタイマーの長さと同じかそれ以上を設定する。また、第二セルのみで構成される送信タイミンググループに対して上りリンク送信禁止タイマーが動作している場合、第一セルの送信タイミング情報が通知され、送信タイミングタイマーをリスタート（リセット）するタイミングで上りリンク送信禁止タイマーもリスタート（リセット）する。また、上りリンク送信禁止タイマーの開始タイミングは、移動局装置１−１が基地局装置３から上りリンク送信禁止タイマー情報を取得した時点でもかまわない。
【０１３６】
移動局装置１−１がアクティベート指示を受信した場合の動作を図７のフローチャートを用いて以下に示す。
移動局装置１−１は、基地局装置３からアクティベート指示メッセージを受信する（ステップＳ３０１）。移動局装置１−１は、アクティベート指示された第二セル（または、アクティベート指示されたセルを含む送信タイミンググループ）に対する送信タイミングを取得しているかどうか確認する（ステップＳ３０２）。アクティベート指示された第二セルの送信タイミングを取得していない場合、移動局装置１−１は、上りリンク送信禁止タイマーを起動する（ステップＳ３０３）。移動局装置１−１は、上りリンク送信禁止タイマーが動作している第二セル（または、アクティベート指示されたセルを含む送信タイミンググループ）に対する送信タイミングを取得したか確認する（ステップＳ３０４）。
【０１３７】
上りリンク送信禁止タイマーが動作している第二セルに対する送信タイミングを取得した場合、移動局装置１−１は、上りリンク送信禁止タイマーを停止する（ステップＳ３０５）。そして、移動局装置１−１は、送信タイミングを取得した第二セルへの上りリンク送信を開始する（ステップＳ３０６）。送信禁止タイマーが動作している第二セルに対する送信タイミングを取得していない場合、移動局装置１−１は、第一セルの送信タイミングを取得したかどうか確認する（ステップＳ３０７）。第一セルの送信タイミングを取得した場合、送信禁止タイマーをリスタート（リセット）する（ステップＳ３０８）し、ステップＳ３０３に戻る。第一セルの送信タイミングを取得していない場合、ステップＳ３０３に戻る。アクティベート指示されたセルの送信タイミングを取得している場合、移動局装置１−１は、送信タイミングを取得した第二セルへの上りリンク送信を開始し（ステップＳ３０６）、上りリンク送信禁止タイマー処理を終了する。
【０１３８】
また、第１の実施形態と第２の実施形態を合わせ、基地局装置３がアクティベート指示２メッセージを移動局装置に送信した場合、移動局装置１−１は、上りリンク送信禁止タイマーをスタートして、送信タイミングを取得していないセルに対する上りリンク送信を禁止することも可能である。
【０１３９】
このようにすることで、移動局装置１−１は、送信タイミングタイマーが動作している場合でも送信タイミングが有効でないセルに対して上りリンク送信を禁止することができる。
【０１４０】
＜第３の実施形態＞
第１の実施形態及び第２の実施形態ではランダムアクセス手順を用いて送信タイミングを取得する場合について示したが、本実施形態では、移動局装置１−１がランダムアクセス手順を用いずに第二セルの送信タイミングを計算で求める場合について示す。
【０１４１】
[構成説明]
図１は、本発明の実施形態に係る移動局装置の構成を示す図である。移動局装置１−１〜１−３は、無線部１０１、送信処理部１０３、変調部１０５、送信ＨＡＲＱ処理部１０７、制御部１０９、上りリンク参照信号生成部１１１、ランダムアクセスプリアンブル生成部１１３、受信処理部１１５、復調部１１７、受信ＨＡＲＱ処理部１１９、移動局管理部１２１から構成される。移動局管理部１２１は、ＵＬスケジュール部１２３、制御データ作成部１２５、制御データ解析部１２７、セル管理部１２９、ＴＡ管理部１３１から構成される。
【０１４２】
尚、無線部１０１、送信処理部１０３、変調部１０５、送信ＨＡＲＱ処理部１０７、受信処理部１１５、復調部１１７、受信ＨＡＲＱ処理部１１９は、複数セルとの通信をすることを考慮して通信するセル数と同じ数で構成されるとする。無線部１０１、送信処理部１０３、変調部１０５、送信ＨＡＲＱ処理部１０７、制御部１０９、上りリンク参照信号生成部１１１、ランダムアクセスプリアンブル生成部１１３、復調部１１７、受信ＨＡＲＱ処理部１１９の動作は、第１の実施形態と同じであるので説明は省略する。
【０１４３】
受信処理部１１５は、無線部１０１からの入力信号をＦＦＴ（Fast Fourier Transform（高速フーリエ変換））処理を行ない、復調部１１７に出力する。復調部１１７は、入力データの復調処理を行い、復調したデータを受信ＨＡＲＱ処理部１１９に出力する。また、受信処理部１１５は、第一セルからの信号の受信タイミングと第二セルからの信号の受信タイミングの差を計測し、第一セルからの信号の受信タイミングと第二セルからの信号の受信タイミングの差分情報を移動局管理部１２１に通知する。
【０１４４】
移動局管理部１２１は、ＵＬスケジュール部１２３、制御データ作成部１２５、制御データ解析部１２７、セル管理部１２９、ＴＡ管理部１３１から構成される。制御データ作成部１２５は、受信ＨＡＲＱ処理部１１９からの受信データの復号結果からデータのＡＣＫ／ＮＡＣＫメッセージを作成し、また、下りリンクの無線品質を示すメッセージなどの制御データを作成し、作成した制御データを送信ＨＡＲＱ処理部１０７に出力する。制御データ解析部１２７は、受信ＨＡＲＱ処理部１１９から入力された制御データを解析する。
【０１４５】
制御データ解析部１２７は、基地局装置３から受信したセルのシステム情報（または、セルの設定情報）やセルの割り当て情報、ランダムアクセス指示情報、ランダムアクセスレスポンスメッセージ、コンテンションレゾリューションメッセージ、上りリンク参照信号の生成情報、アクティベート指示メッセージ、デアクティベート指示メッセージをセル管理部１２９に出力し、送信タイミングメッセージや送信タイミングタイマー情報をＴＡ管理部１３１に出力する。
【０１４６】
ＵＬスケジュール部１２３は、基地局装置３からの上りリンクデータのスケジューリング情報や送信した上りリンクデータの応答（ＡＣＫ／ＮＡＣＫ）をもとに制御部１０９を介して送信処理部１０３、変調部１０５、送信ＨＡＲＱ処理部１０７を制御する。また、上位層からの制御情報をもとにセル管理部１２９にランダムアクセス手順を開始するよう指示する。
【０１４７】
セル管理部１２９は、基地局装置３から割り当てられたセルを管理し、基地局装置３から受信したセル毎のシステム情報、または、設定情報（物理チャネルの構成や送信電力情報やランダムアクセス情報、上りリンク参照信号の生成情報などの各セルのシステム情報や上りリンク参照信号（測定用参照信号）の無線リソースや上りリンク制御チャネルＰＵＣＣＨの無線リソースなどの移動局装置１−１に個別に割り当てられた無線リソース）を管理する。セル管理部１２９は、制御部１０９を介してランダムアクセス情報をランダムアクセスプリアンブル生成部１１３に通知し、上りリンク参照信号の生成情報を上りリンク参照信号生成部１１１に通知する。
【０１４８】
セル管理部１２９は、送信タイミングが同じセルのグループ情報をＴＡ管理部１３１に通知する。セル管理部１２９は、通信の開始時や上りリンクデータのスケジュール要求を行なう場合、競合ベースランダムアクセス手順を開始し、ランダムアクセス情報からランダムプリアンブルを選択し、選択したランダムプリアンブルのプリアンブル番号を制御部１０９を介してランダムアクセスプリアンブル生成部１１３に通知する。また、セル管理部１２９は、ランダムアクセス指示情報を取得した場合、非競合ベースランダムアクセス手順を開始し、ランダムアクセス指示情報に含まれているプリアンブル番号とランダムアクセスチャネル番号を制御部１０９を介してランダムアクセスプリアンブル生成部１１３に通知する。
【０１４９】
セル管理部１２９は、ランダムアクセスレスポンスメッセージを取得した場合、ランダムアクセスレスポンスメッセージに含まれる送信タイミング情報をＴＡ管理部１３１に出力し、Ｌ２／Ｌ３メッセージの情報を制御データ作成部１２５に出力し、非競合ベースランダムアクセス手順実行中の場合、非競合ベースランダムアクセス手順を終了する。セル管理部１２９は、コンテンションレゾリューションメッセージを取得した場合、競合ベースランダムアクセス手順を終了する。
【０１５０】
セル管理部１２９は、アクティベート指示メッセージを取得した場合、アクティベート指示メッセージで示されたセルに対する受信処理部１１５、復調部１１７、受信ＨＡＲＱ処理部１１９、無線部１０１、送信処理部１０３、変調部１０５、送信ＨＡＲＱ処理部１０７、上りリンク参照信号生成部１１１に動作開始を制御部１０９を介して指示する。セル管理部１２９は、デアクティベート指示メッセージを取得した場合、デアクティベート指示メッセージで示されたセルに対する受信処理部１１５、復調部１１７、受信ＨＡＲＱ処理部１１９、無線部１０１、送信処理部１０３、変調部１０５、送信ＨＡＲＱ処理部１０７、上りリンク参照信号生成部１１１に動作停止を制御部１０９を介して指示する。
【０１５１】
ＴＡ管理部１３１は、セル毎または送信タイミンググループ毎の送信タイミングと送信タイミングタイマーを管理する。また、ＴＡ管理部１３１は、送信タイミングが同じとなるセルのグループ情報も管理する。ＴＡ管理部１３１は、送信タイミングメッセージを取得した場合、第二セルの送信タイミングを送信タイミングメッセージに含まれる送信タイミングと受信処理部１１５から取得した第一セルと第二セルからの信号の受信タイミング差から第二セルの送信タイミングを算出する。ＴＡ管理部１３１は、通知された第一セルの送信タイミングと算出した第二セルの送信タイミング情報を制御部１０９を介して送信処理部１０３に通知し、送信タイミングタイマーをスタート、または、リスタートする。
【０１５２】
＜動作説明＞
移動局装置１−１は、第二セルに対するアクティベート指示を受信した場合、上りリンク送信を開始する前に第二セルに対する送信タイミングを第一セルと第二セルの下りリンクの受信タイミングの差と第一セルに対する送信タイミングとから第二セルの送信タイミングを算出し、第二セルの送信タイミングを算出後に第二セルの送信タイミングを設定する。また。移動局装置１−１は、第一セルに対する送信タイミングを受信した場合、第二セルに対する送信タイミングを第一セルと第二セルの下りリンクの受信タイミングの差と第一セルに対する送信タイミングとから第二セルの送信タイミングを算出する。第二セルの送信タイミングを算出後、移動局装置１−１は、第一セルと第二セルの送信タイミングを設定し、その後、送信タイミングタイマーをリスタート（リセット）する。このようにすることで、第二セルの上りリンク送信を開始する前に必ず送信タイミングが設定されるようになる。
【０１５３】
移動局装置１−１と基地局装置３の動作を説明する。
基地局装置３は、移動局装置１−１からの送信タイミングが同じとなるセルをグループ化（以降は、送信タイミンググループと示す。）する。そして、基地局装置３は、１つのセルを第一セルに設定し、それ以外のセルを第二セルに設定する。
【０１５４】
尚、第一セルには、電話やリアルタイム情報を通知するための定期的な無線リソースや下りリンク共用チャネルＰＤＳＣＨに対する応答に使用するための上りリンク制御チャネルＰＵＣＣＨ、下りリンクの無線伝搬路品質情報などの制御情報を通知するための上りリンク制御チャネルＰＵＣＣＨを割り当てるなど重要な機能が設定される。このため、無線伝搬路状態の良いなど通信環境の良いセルが、第一セルとして設定される。
【０１５５】
また、送信タイミンググループは、第一セルと、第一セルと同じ上りリンク送信タイミングの第二セルとから構成される第一の送信タイミンググループと、第一セルの上りリンク送信タイミングと異なる同じ上りリンク送信タイミングの第二セルから構成される第二の送信タイミンググループとに分類される。第一の送信タイミンググループは、少なくとも第一セルを含み、第二の送信タイミンググループは、少なくとも１つの第二セルを含む。
【０１５６】
例として、基地局装置３は、図３のようにセル１〜セル５から構成されていて、セル１〜セル３はそれぞれ送信タイミングが同じ送信タイミンググループ（送信タイミンググループ１）であり、セル４〜セル５はそれぞれ送信タイミングが同じであって、かつ、送信タイミンググループ１とは異なる別の送信タイミンググループ（送信タイミンググループ２）であるとする。
【０１５７】
移動局装置１−１は、セルサーチを行い、基地局装置３の１つのセルを見つける。ここではセル１を見つけるとする。移動局装置１−１は、セル１の報知チャネルＰＢＣＨなどを受信し、セル１のシステム情報（セルの物理チャネル構成や送信電力情報やランダムアクセス情報など）を取得する。そして、移動局装置１−１は、初期アクセスのためにシステム情報に含まれるランダムアクセス情報を使用して、ランダムアクセスプリアンブルの選択・生成を行い、ランダムアクセスプリアンブルを送信するランダムアクセスチャネルＲＡＣＨを選択し、選択したセル１のランダムアクセスチャネルＲＡＣＨへランダムアクセスプリアンブル（メッセージ１）を送信する。
【０１５８】
そして、移動局装置１−１は、基地局装置３からセル１に対する送信タイミング情報を含んだランダムアクセスレスポンスメッセージ（メッセージ２）を取得し、ランダムアクセスレスポンスに含まれる送信タイミング情報からセル１に対する上りリンクコンポーネントキャリアの送信タイミングを調整して、送信タイミングタイマーをスタートさせる。移動局装置１−１は、セル１を介してＬ２／Ｌ３メッセージ（メッセージ３）を基地局装置３へ送信する。尚、移動局装置１−１は、このメッセージ３に初期アクセスを示した内容を含めてメッセージ３を送信する。そして、移動局装置１−１は、コンテンションレゾリューション（メッセージ４）を基地局装置３から受信すると競合ベースランダムアクセス手順を終了する。
【０１５９】
ランダムアクセス手順が完了後、基地局装置３は、移動局装置１−１に使用させるセルを割り当て、割り当て情報を移動局装置１−１に通知する。尚、ここでは、図４のように基地局装置３は、移動局装置１−１にセル１〜セル５を割り当てて、セル１を第一セル、セル２〜セル５を第二セルに設定し、セル１〜セル３を送信タイミングが同じ送信タイミンググループ（第一の送信タイミンググループ、送信タイミンググループ１）に設定し、セル４とセル５を送信タイミングが同じ送信タイミンググループ（第二の送信タイミンググループ、送信タイミンググループ２）に設定する。
【０１６０】
そして、基地局装置３は、移動局装置１−１に割り当てたセル（セル１からセル５）の設定情報（各セルのシステム情報）や送信タイミンググループのグループ情報、第一セルの上りリンク制御チャネルＰＵＣＣＨの割り当て情報、上りリンク参照信号（測定用参照信号）の生成情報や上りリンク参照信号（測定用参照信号）を送信するための無線リソース割り当て情報、定期的な上りリンク共用チャネルＰＤＳＣＨの無線リソース割り当て情報などの移動局装置個別の設定情報も移動局装置１−１に通知する。また、基地局装置３は、ランダムアクセス手順を許可するセルに対する情報としてランダムアクセス情報もセルの設定情報に含めて通知する。尚、ここでは、基地局装置３は、セル１を第一セルに設定したので、セル１に対してのみランダムアクセス情報を通知する。
【０１６１】
移動局装置１−１は、上記情報を受信後、第二セル（セル２〜セル５）の送信タイミングを算出する。セル２及びセル３は、セル１と同じ送信タイミンググループのセルであるので、セル２及びセル３の送信タイミングは、セル１の送信タイミングを適用する。セル４及びセル５は、セル１と異なる送信タイミンググループのセルであるので、セル４及びセル５の送信タイミングは、セル１の下りリンクの受信タイミングとセル４またはセル５の下りリンクの受信タイミングの差及びセル１の送信タイミングから計算で算出する。
【０１６２】
尚、セル４及びセル５の送信タイミングは、セル１とセル４の下りリンクの受信タイミングを計測し、セル１とセル４の下りリンクの受信タイミング差を算出し、セル１の送信タイミングを基準として、セル１の送信タイミングにセル１とセル４の受信タイミング差を加算する（または減算する）と求めることができる。
【０１６３】
基地局装置３は、上記情報を通知後、移動局装置１−１にセル２〜セル５に対してアクティベート指示を通知するとする。移動局装置１−１は、アクティベートを指示されるとセル２からセル５の送信タイミングを設定し、セル２〜セル５に対して下りリンク受信を開始し、セル２からセル５に対して上りリンク送信を開始する。基地局装置３と移動局装置１−１の間でセル１〜セル５を介してデータの送受信が行なわれる。
【０１６４】
尚、移動局装置１−１は、アクティベート指示を受信しても第二セルの送信タイミングを算出し終えていない場合は、下りリンク受信及び上りリンク送信の開始を遅らせて、送信タイミングを算出し、送信タイミングを適用してから下りリンク受信及び上りリンク送信を開始する。また、第二セルの送信タイミングの算出は、基地局装置３からのアクティベート指示を受信後に行なっても良い。
【０１６５】
そして、基地局装置３は、移動局装置１−１から第一セルのセル１を介して送信される参照信号からセル１の送信タイミングを算出し、移動局装置１−１にセル１の送信タイミング情報を通知する。移動局装置１−１は、セル１の送信タイミング情報を受信するとセル２〜セル５の送信タイミングを算出する。セル２及びセル３の送信タイミングは、セル１と同じ送信タイミンググループのセルであるので、セル１の送信タイミングを適用する。
【０１６６】
セル４及びセル５の送信タイミングは、セル１と異なる送信タイミンググループのセルであるので、セル１とセル４の下りリンクの受信タイミングを計測し、セル１とセル４の下りリンクの受信タイミング差を算出し、セル１の送信タイミングを基準として、セル１の送信タイミングにセル１とセル４の下りリンクの受信タイミング差を加算して（または減算する）算出する。セル２〜セル５の送信タイミングを算出後、移動局装置１−１は、セル１からセル５の送信タイミングを設定する。全セルに対する送信タイミングを設定後、移動局装置１−１は、送信タイミングタイマーをリスタート（リセット）する。
【０１６７】
尚、送信タイミングタイマーが満了した場合、移動局装置１−１は、全てのセルの送信タイミングを破棄し、ランダムアクセスプリアンブル送信以外の上りリンク送信を停止する。また、送信タイミングタイマーは、少なくとも第一セルに対する送信タイミングを設定した場合にのみリスタート（リセット）され、第二セル、または、第二セルで構成される送信タイミンググループに対して送信タイミングを設定している場合、送信タイミングタイマーは、リスタートされない。尚、上りリンク送信とは、ランダムアクセスプリアンブル送信以外の上りリンク共用チャネルＰＵＳＣＨの送信、上りリンク制御チャネルＰＵＣＣＨの送信、上りリンク参照信号の送信または送信処理のことを言う。
【０１６８】
移動局装置１−１が基地局装置３からアクティベート指示を受信した場合の動作を図８のフローチャートを用いて以下に示す。
移動局装置１−１は、基地局装置３からアクティベート指示を受信する（ステップＳ４０１）。移動局装置１−１は、アクティベート指示で指示された第二セルに対する下りリンク受信を開始するステップＳ４０２）。移動局装置１−１は、アクティベート指示で指定された第二セルが第一セル同じ送信タイミンググループのセルか確認する（ステップＳ４０３）。第一セルと同じ送信タイミンググループのセルの場合、移動局装置１−１は、アクティベート指示で指示された第二セルの送信タイミングを第一セルと同じ送信タイミングとして設定する（ステップＳ４０４）。第一セルと異なる送信タイミンググループのセルの場合、移動局装置１−１は、第二セルの送信タイミングを上記で示したような方法で算出する（ステップＳ４０５）。移動局装置１−１は、算出した送信タイミングを設定する（ステップＳ４０６）。そして、移動局装置１−１は、アクティベート指示で指定されたセルの上りリンク送信を開始し（ステップＳ４０７）、アクティベート指示受信処理を終了する。尚、第二セルの送信タイミングの算出は、送信タイミンググループ単位で行なっても良い。
【０１６９】
移動局装置１−１が基地局装置３から第一セルの送信タイミング情報を受信した場合の動作を図９のフローチャートを用いて以下に示す。
移動局装置１−１は、基地局装置３から第一セルの送信タイミング情報を受信する（ステップＳ５０１）。移動局装置１−１は、第二セルの送信タイミングを計算で算出する（ステップＳ５０２）。移動局装置１−１は、第一セル及び全ての第二セルの送信タイミングを設定する。（ステップＳ５０３）。移動局装置１−１は、送信タイミングタイマーをリスタート（リセット）する（ステップＳ５０４）。
【０１７０】
尚、第二セルの送信タイミングの算出は、送信タイミンググループ単位で行なっても良く、送信タイミングの設定も送信タイミンググループ単位で行なっても良い。
このようにすることで、第二セルの上りリンク送信を開始する前に必ず第二セルの送信タイミングが設定されるようになり、送信タイミングタイマーが動作している状態で送信タイミングが無効であるという状態は無くすことができる。
【０１７１】
また、説明の便宜上、実施形態の移動局装置１−１及び基地局装置３を機能的なブロック図を用いて説明したが、移動局装置１−１及び基地局装置３の各部の機能またはこれらの機能の一部を実現するためのプログラムをコンピュータ読み取り可能な記録媒体に記録して、この記録媒体に記録されたプログラムをコンピュータシステムに読み込ませ、実行することにより移動局装置や基地局装置の制御を行なっても良い。尚、ここでいう「コンピュータシステム」とは、ＯＳや周辺機器等のハードウェアを含むものとする。
【０１７２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【０１７３】
また、上記各実施形態に用いた各機能ブロックは、典型的には集積回路であるＬＳＩとして実現してもよい。各機能ブロックは個別にチップ化してもよいし、一部または全部を集積してチップ化してもよい。また、集積回路化の手法はＬＳＩに限らず専用回路または汎用プロセッサで実現しても良い。また、半導体技術の進歩によりＬＳＩに代替する集積回路化の技術が出現した場合、当該技術による集積回路を用いることも可能である。
【０１７４】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１７５】
１−１〜１−３  移動局装置
３  基地局装置
５−１、５−２  リピータ
１０１、２０１  無線部
１０３、２０３  送信処理部
１１５、２１５  受信処理部
１０５、２０５  変調部
１１７，２１７  復調部
１０７、２０７  送信ＨＡＲＱ処理部
１１９、２１９  受信ＨＡＲＱ処理部
１０９、２０９  制御部
１２１  移動局管理部
２２１  基地局管理部
１２３  ＵＬスケジュール部
１２５、２２５  制御データ作成部
１２７，２２７  制御データ解析部
１２９，２２９  セル管理部
１３１，２３１  ＴＡ管理部
１１１  上りリンク参照信号生成部
２１１  下りリンク参照信号生成部
１１３  ランダムアクセスプリアンブル生成部
２１３  プリアンブル検出部
２２３  ＤＬ／ＵＬスケジュール部
【図１】
2013042257.tif 000003
【図２】
2013042257.tif 000004
【図３】
2013042257.tif 000005
【図４】
2013042257.tif 000006
【図５】
2013042257.tif 000007
【図６】
2013042257.tif 000008
【図７】
2013042257.tif 000009
【図８】
2013042257.tif 000010
【図９】
2013042257.tif 000011
【図１０】
2013042257.tif 000012
【図１１】
2013042257.tif 000013
【図１２】
2013042257.tif 000014
【図１３】
2013042257.tif 000015
【図１４】
2013042257.tif 000016
【図１５】
2013042257.tif 000017
【図１６】
2013042257.tif 000018